(57)【要約】 【課題】  小形でかつ組立て時間を短縮可能な画像形成装置を提供する。【解決手段】  キャリッジ６６を支持する支持部分と、イメージセンサ６８を支持する支持部分とを含んで構成される共有フレーム２１を有し、共有フレーム２１は、樹脂による一体成形によって実現される。これによって、キャリッジ６６とイメージセンサ６８のフレームとを個別に形成する場合に比べて、一度の加工で共有フレーム２１を形成することができる。また共有フレーム２１を用いることによって、機能別のそれぞれのフレームを１つに組立てる必要がない。これによって各フレームを個別に形成する場合に比べて、安価にかつ小形に形成することができる。また樹脂による成形加工によって形成することで、共有フレーム２１が複雑な形状であっても容易にかつ安価に形成することができる。さらに機能別のフレームを１つに組立てる必要がなく、画像形成装置の組立てに費やす時間を短縮することができる。【選択図】      図１
2005331769.tif 000002
【特許請求の範囲】
【請求項１】
記録用紙を搬送しながらその搬送方向と交差する交差方向に記録移動体を移動させて記録用紙に画像を形成するとともに、原稿用紙を搬送しながら原稿用紙に形成される画像を読取体によって読取る画像形成装置であって、
画像を記録用紙に記録するための記録構成部品を支持する記録構成部品支持フレーム部分と、原稿用紙に形成される画像を読取るための読取構成部品を支持する読取構成部品とを含んで構成される共有フレームを有し、
共有フレームは、樹脂による一体成形によって実現されることを特徴とする画像形成装置。
【請求項２】
共有フレームは、交差方向両側に形成される一対の側壁部と、一対の側壁部を連結して交差方向に延びる複数の連結部とを有し、
前記連結部は、用紙搬送にあたって、記録用紙および原稿用紙の少なくともいずれか一方の用紙を案内する用紙案内ガイドを含んで構成されることを特徴とする請求項１記載の画像形成装置。
【請求項３】
記録用紙を搬送する記録用紙搬送手段と、
記録用紙を搬送するための記録用紙搬送駆動源と、
記録用紙搬送駆動源からの動力を記録用紙搬送手段に伝達する記録用紙伝達機構と、
原稿用紙を搬送する原稿用紙搬送手段と、
原稿用紙を搬送するための原稿用紙搬送駆動源と、
原稿用紙搬送駆動源からの動力を原稿用紙搬送手段に伝達する原稿用紙伝達機構とを有し、
記録用紙搬送手段、記録用紙搬送駆動源、記録用紙伝達機構、原稿用紙搬送手段、原稿用紙搬送駆動源および原稿用紙伝達機構は、前記共有フレームに支持されることを特徴とする請求項１または２記載の画像形成装置。
【請求項４】
記録用紙搬送駆動源と、原稿用紙搬送駆動源とが１つの共有用紙搬送駆動源によって実現されることを特徴とする請求項３記載の画像形成装置。
【請求項５】
要求される搬送精度を保ったうえで、共有用紙搬送駆動源に必要なトルクが可及的に小さくなるように設定されることを特徴とする請求項４記載の画像形成装置。
【請求項６】
記録用紙搬送状態と原稿用紙搬送状態とのいずれか一方の用紙搬送状態において、他方の用紙搬送に用いられる搬送手段への動力の伝達を阻止する切換手段を有することを特徴とする請求項４または５記載の画像形成装置。
【請求項７】
切換手段は、記録移動体の変位移動に連動して動作することを特徴とする請求項６記載の画像形成装置。
【請求項８】
切換手段は、記録移動体が画像形成を行う画像形成位置に移動したときに、共有用紙搬送駆動源から原稿用紙搬送手段への動力伝達を阻止し、
記録移動体が非画像形成時に待機する待機位置に移動したときに、共有用紙搬送駆動源から原稿用紙搬送手段への動力伝達を許容することを特徴とする請求項７記載の画像形成装置。
【請求項９】
前記原稿用紙伝達手段は、共有用紙搬送駆動源から与えられる動力によって回転する太陽歯車と、
太陽歯車に噛合し、太陽歯車の周方向に角変位に構成される遊星歯車と、
太陽歯車の周方向に角変位に遊星歯車を支持する公転腕部材とを含み、
原稿用紙搬送手段は、予め定める噛合位置に変位した遊星歯車と噛合可能な噛合歯車と、
噛合歯車の回転とともに回転して原稿用紙を搬送する原稿用紙搬送ローラとを含み、
切換手段は、記録移動体が待機位置に移動したときに、記録移動体によって変位されて遊星歯車を噛合位置に変位し、記録移動体が非待機位置に移動したときに記録移動体によって変位されて遊星歯車を非噛合位置に変位する切換部材を有することを特徴とする請求項８記載の画像形成装置。
【請求項１０】
共有フレームの一方の側壁部から他方の側壁部まで延び、記録移動体を交差方向に案内する２つ以上の金属案内体を有することを特徴とする請求項１〜９のいずれか１つに記載の画像形成装置。
【請求項１１】
ファクシミリ装置であることを特徴とする請求項１〜１０のいずれか１つに記載の画像形成装置。
【発明の詳細な説明】
【技術分野】
【０００１】
本発明は、記録用紙を搬送しながらその搬送方向と交差する交差方向に記録移動体を移動させて記録用紙に画像を形成するとともに、原稿用紙を搬送しながら原稿用紙に形成される画像を読取る画像形成装置に関し、たとえばファクシミリ装置に関する。
【背景技術】
【０００２】
スキャナ機能を有するシリアル方式の画像形成装置として、インクジェット方式のファクシミリ装置がある（たとえば特許文献１参照）。インクジェット方式のファクシミリ装置は、記録用紙を搬送しながら、その搬送方向と交差する交差方向に記録ヘッドを移動させて記録用紙に画像を形成する。また原稿用紙を搬送しながら原稿用紙に形成される画像を読取る。特許文献１に開示されるファクシミリ装置は、画像を読取る読取部がファクシミリ装置本体に対して着脱可能に構成される。
【０００３】
図２８は、他の従来技術のファクシミリ装置１を示す分解斜視図である。他の従来技術のファクシミリ装置１は、画像読取ユニット２と、読取駆動フレーム３と、オートシートフィーダユニット４（以下、ＡＳＦユニット４と称する）と、画像形成ユニット５とを有する。上述した各ユニット２，４，５およびフレーム３が１つに組立てられて、ファクシミリ装置１の一部として構成される。
【０００４】
読取駆動フレーム３は、読取用駆動モータを支持し、画像読取ユニット２に固定される。画像読取ユニット２は、原稿用紙に形成される画像を読取るイメージセンサと、原稿用紙を搬送する原稿用紙搬送部とを有する。原稿用紙搬送部は、読取用駆動モータから動力が与えられることによって、原稿用紙をイメージセンサに向かって一枚ずつ搬送する。また原稿用紙搬送部は、イメージセンサによって画像が読取られた原稿用紙を排出位置に搬送する。
【０００５】
ＡＳＦユニット４は、記録用紙載置部に載置される記録用紙を、一枚ずつ画像形成ユニット５に搬送する。画像形成ユニット５は、記録用紙を搬送方向に搬送する記録用紙搬送部と、キャリッジ６を搬送方向に交差する交差方向に変位移動するカートリッジ駆動部７とを有する。キャリッジ６は、インクを吐出する記録ヘッドを搭載する。
【０００６】
ファクシミリ装置１は、記録ヘッドからインクを噴出する噴出タイミングと、記録用紙の搬送方向の移動動作と、キャリッジ６の交差方向の移動動作とを制御する。これによって記録用紙に画像を形成することができる。画像形成ユニット５は、画像が形成された記録用紙を排出位置に搬送する。
【０００７】
画像読取ユニット２、ＡＳＦユニット４、画像形成ユニット５および読取駆動フレーム３は、別体にそれぞれ成形加工され、各ユニット２，４，５およびフレーム３が１つに組立てられることによってファクシミリ装置１の一部を構成する。このようなファクシミリ装置１は、画像品質の向上化のために、画像形成ユニット５のフレームに剛性が要求される。したがって画像形成ユニット５のフレームは、交差方向両側に形成される一対の側壁部８，９が金属から成る板部材によって構成される。このような構成は、ファクシミリ装置以外の画像形成装置であっても同様である。
【０００８】
【特許文献１】特開２００１−１０３２１３号公報
【発明の開示】
【発明が解決しようとする課題】
【０００９】
上述したように従来技術の画像形成装置では、画像読取ユニット２と画像形成ユニット５とが別体に形成される。したがって画像形成装置として構成するために、個別に形成された各ユニットを組立てる必要があり、画像形成装置が大型化してしまうという問題がある。また各ユニットを個別に形成するので安価に形成することができず、組立てのために費やす時間が多く必要になるという問題がある。
【００１０】
したがって本発明の目的は、小形でかつ組立て時間を短縮可能であって安価に製造することができる画像読取可能なシリアル方式の画像形成装置を提供することを目的とする。
【課題を解決するための手段】
【００１１】
本発明は、記録用紙を搬送しながらその搬送方向と交差する交差方向に記録移動体を移動させて記録用紙に画像を形成するとともに、原稿用紙を搬送しながら原稿用紙に形成される画像を読取体によって読取る画像形成装置であって、
画像を記録用紙に記録するための記録構成部品を支持する記録構成部品支持フレーム部分と、原稿用紙に形成される画像を読取るための読取構成部品を支持する読取構成部品とを含んで構成される共有フレームを有し、
共有フレームは、樹脂による一体成形によって実現されることを特徴とする画像形成装置である。
【００１２】
本発明に従えば、記録構成部品支持フレーム部分と読取構成部品支持フレーム部分とを一体に成形することによって、画像記録用のフレームと画像読取用のフレームとを個別に形成する場合に比べて、一度の加工でフレームを形成することができる。また共有フレームを用いることによって、機能別のそれぞれのフレームを１つに組立てる必要がない。
【００１３】
また本発明は、共有フレームは、交差方向両側に形成される一対の側壁部と、一対の側壁部を連結して交差方向に延びる複数の連結部とを有し、
前記連結部は、用紙搬送にあたって、記録用紙および原稿用紙の少なくともいずれか一方の用紙を案内する用紙案内ガイドを含んで構成されることを特徴とする。
【００１４】
本発明に従えば、一対の側壁部が複数の連結部によって連結されることによって、共有フレームを格子枠状に形成することができ、共有フレームの剛性を向上することができる。さらに用紙案内ガイドが連結部を兼用することによって、一対の側壁部を連結する連結部を別途設ける必要がなく、画像形成装置が大型化することを防ぐことができる。また用紙案内ガイドを共有フレームに固定する固定工程を必要としない。
【００１５】
また本発明は、記録用紙を搬送する記録用紙搬送手段と、
記録用紙を搬送するための記録用紙搬送駆動源と、
記録用紙搬送駆動源からの動力を記録用紙搬送手段に伝達する記録用紙伝達機構と、
原稿用紙を搬送する原稿用紙搬送手段と、
原稿用紙を搬送するための原稿用紙搬送駆動源と、
原稿用紙搬送駆動源からの動力を原稿用紙搬送手段に伝達する原稿用紙伝達機構とを有し、
記録用紙搬送手段、記録用紙搬送駆動源、記録用紙伝達機構、原稿用紙搬送手段、原稿用紙搬送駆動源および原稿用紙伝達機構は、前記共有フレームに支持されることを特徴とする。
【００１６】
本発明に従えば、各搬送手段、各搬送駆動源および各伝達機構を、共有フレームで支持することによって、それらを共有フレームに対して密集して配置することができる。これによって共有フレームを小形化することができる。またたとえば各搬送手段、各搬送駆動源および各伝達手段について、少なくとも一部をそれぞれ共有化させることによって、さらに画像形成装置を小形化することができる。
【００１７】
また本発明は、記録用紙搬送駆動源と、原稿用紙搬送駆動源とが１つの共有用紙搬送駆動源によって実現されることを特徴とする。
【００１８】
本発明に従えば、上述したように共有フレームに各搬送手段および各伝達手段が設けられるので、１つの共有用紙搬送駆動源で、記録用紙搬送手段と原稿用紙搬送手段とを容易に駆動することができる。
【００１９】
また本発明は、要求される搬送精度を保ったうえで、共有用紙搬送駆動源に必要なトルクが可及的に小さくなるように設定されることを特徴とする。
【００２０】
本発明に従えば、共有用紙搬送駆動源に必要なトルクを小さくすることによって、共有用紙搬送駆動源から発生する熱量を抑えることができる。これによって共有用紙搬送駆動源の周囲が高温になることを防ぐことができる。
【００２１】
また本発明は、記録用紙搬送状態と原稿用紙搬送状態とのいずれか一方の用紙搬送状態において、他方の用紙搬送に用いられる搬送手段への動力の伝達を阻止する切換手段を有することを特徴とする。
【００２２】
本発明に従えば、記録用紙搬送状態と原稿用紙搬送状態とのいずれか一方の用紙搬送状態において、他方の用紙搬送に用いられる搬送手段への動力伝達を阻止することによって、共有用紙搬送駆動源に必要なトルクを小さくすることができる。たとえば記録用紙を搬送するときには、原稿用紙搬送手段への動力伝達を阻止することによって、小さい負荷で記録用紙の搬送を行うことができる。これによって共有用紙搬送駆動源から発生する熱量を抑えることができる。
【００２３】
また本発明は、切換手段は、記録移動体の変位移動に連動して動作することを特徴とする。
【００２４】
本発明に従えば、切換手段が、記録移動体の変位移動に連動して、用紙共有駆動源から搬送手段に与える動力の伝達状態を切換える。これによって動力伝達状態を切換えるための動力源を別途必要とせず、単純な構成で駆動源の動力伝達状態を切換えることができる。
【００２５】
また本発明は、切換手段は、記録移動体が画像形成を行う画像形成位置に移動したときに、共有用紙搬送駆動源から原稿用紙搬送手段への動力伝達を阻止し、
記録移動体が非画像形成時に待機する待機位置に移動したときに、共有用紙搬送駆動源から原稿用紙搬送手段への動力伝達を許容することを特徴とする。
【００２６】
本発明に従えば、記録移動体が画像形成を行う画像形成位置を移動したときに、共有用紙搬送駆動源から原稿用紙搬送手段への動力伝達を阻止することによって、記録用紙に画像を形成するときに、原稿用紙搬送手段を駆動することがなく、共有用紙搬送駆動源に必要なトルクを低減することができる。
【００２７】
また本発明は、前記原稿用紙伝達手段は、共有用紙搬送駆動源から与えられる動力によって回転する太陽歯車と、
太陽歯車に噛合し、太陽歯車の周方向に角変位に構成される遊星歯車と、
太陽歯車の周方向に角変位に遊星歯車を支持する公転腕部材とを含み、
原稿用紙搬送手段は、予め定める噛合位置に変位した遊星歯車と噛合可能な噛合歯車と、
噛合歯車の回転とともに回転して原稿用紙を搬送する原稿用紙搬送ローラとを含み、
切換手段は、記録移動体が待機位置に移動したときに、記録移動体によって変位されて遊星歯車を噛合位置に変位し、記録移動体が非待機位置に移動したときに記録移動体によって変位されて遊星歯車を非噛合位置に変位する切換部材を有することを特徴とする。
【００２８】
本発明に従えば、記録移動体が待機位置に配置されると、記録移動体は切換部材を変位させて、切換部材は、遊星歯車を噛合位置に変位可能な状態にする。そして太陽歯車が回転すると、遊星歯車は、自転するとともに公転して噛合位置に変位して噛合歯車と噛合する。これによって太陽歯車からの動力を、噛合歯車を介して原稿用紙搬送ローラに伝達することができる。
【００２９】
また記録移動体が非待機位置に配置されると、記録移動体は切換部材を変位させて、切換部材は、遊星歯車を非噛合位置に変位させる。そして遊星歯車は、噛合歯車との噛合状態が解除される。これによって太陽歯車からの動力を、原稿用紙搬送ローラへ伝達することを阻止することができる。
【００３０】
また本発明は、共有フレームの一方の側壁部から他方の側壁部まで延び、記録移動体を交差方向に案内する２つ以上の金属案内体を有することを特徴とする。
【００３１】
本発明に従えば、複数の金属案内体によって記録移動体を交差方向に案内することによって、記録移動体に搭載される記録移動体と記録用紙との間隔を一定に保つことができる。１つの金属案内体、たとえば金属案内軸では、記録移動体が金属案内軸まわりに角変位するおそれがあるが、複数の金属案内体が設けられることによって、記録移動体の角変位を低減して、記録移動体と記録用紙との間隔を正確に一定に保つことができる。たとえば金属案内軸の他の金属案内体は、板状に形成されてもよく、軸状に形成されてもよい。
【００３２】
またこのような複数の金属案内軸によって記録移動体を案内することによって、樹脂によって成形される共有フレームが、熱および外力によって変形したとしても、記録移動体の交差方向の移動を正確に行わせることができ、記録画像の品質の低下を防止することができる。
【００３３】
また本発明は、ファクシミリ装置であることを特徴とする。
また本発明に従えば、画像形成装置は、ファクシミリ装置である。ファクシミリ装置は、画像読取および画像形成を行う機能のほかに、通信制御を行う通信制御手段および作業者からのダイヤル操作が入力されるダイヤル操作部など、ファクシミリ装置として必要な構成部品を含む。本発明では、上述したように共有フレームを用いることによって、画像読取および画像形成を行う部分を小形化することができ、通信制御手段およびダイヤル操作部などが設けられたとしても、全体としてファクシミリ装置を小形化することができる。
【００３４】
また通信回線を介して取得した画像データが示す画像を記録用紙に形成する場合、通信速度および通信データ量などの問題から、送信元から送信される画像データが示す画像の画像品質が低い場合がある。このような場合、共有フレームを用いることによって、小形化および安価に形成可能なうえ、送信元から送信される画像データが示す画像を、要求される画像品質で形成することができる。
【発明の効果】
【００３５】
本発明によれば、一度の成形加工で記録移動体と画像読取手段とを支持する共有フレームを形成することができ、画像記録用のフレームと画像読取用のフレームとを個別に形成する場合に比べて、安価に形成することができる。また樹脂による成形加工によって形成することで、共有フレームが複雑な形状であっても容易に形成することができる。
【００３６】
また画像記録用のフレーム部分と画像読取用のフレーム部分とが１つに形成されているので、従来技術のように、記録移動体用のフレームと画像読取手段用のフレームとを１つに組立てる必要がなく、画像形成装置の組立てに費やす時間を短縮することができる。さらに各フレームが一体に形成されるので、各フレームを連結するための係止部、爪部分、ねじ孔形成部などの結合部分を必要とせず、装置を小形化することができる。
【００３７】
また本発明によれば、一対の側壁部を複数の連結部によって連結することで、共有フレームの剛性を高めることができる。これによって画像記録用のフレーム部分と画像読取用のフレーム部分とを樹脂によって成形したとしても、剛性が不足することを防ぐことができる。したがって画像記録精度および画像読取精度の低下を抑えることができる。さらに用紙案内ガイドが連結部を兼用することによって、画像形成装置が大型化することを防ぐことができ、用紙案内ガイドを共有フレームに固定する固定工程を必要とせず、画像形成装置の組立てに費やす時間をさらに短縮することができる。
【００３８】
たとえば用紙案内ガイドのうちの１つは、記録用紙載置位置から記録用紙記録位置に記録用紙を案内するガイドであってもよい。またたとえば用紙案内ガイドは、記録用紙記録位置から記録用紙排出位置に記録用紙を案内するガイドであってもよい。
【００３９】
また本発明によれば、各搬送手段、各搬送駆動源および各伝達機構を密集して配置することができ、共有フレームの省スペース化を実現することができる。これによってさらに画像形成装置を小形化することができる。また各搬送手段、各搬送駆動源および各伝達機構が、１つの共有フレームに支持されることによって、それらの一部または全てをそれぞれ共有化することができる。
【００４０】
また本発明によれば、共有フレームに設けられる１つの共有駆動源によって、記録用紙搬送手段と原稿用紙搬送手段とを駆動する。これによって駆動源の数を減らすことができ、駆動源の設置スペースを小さくすることができ、安価にかつ小形に構成することができる。
【００４１】
また本発明によれば、共有用紙搬送駆動源から発生する熱量を抑えることで、樹脂によって共有フレームを形成した場合であっても、熱による共有フレームの変形を抑えることができる。これによって樹脂によって成形される共有フレームを用いても、熱変形による画像形成品質の低下を防止することができる。また予め定められる画像形成精度および画像読取精度を達成するために必要な搬送精度に保つことによって、熱による変形を抑えたうえで、画像形成精度および画像読取精度の低下を防止することができる。
【００４２】
たとえば共有用紙搬送駆動源に必要なトルクを小さくするために、記録用紙搬送の動作を行う場合、共有用紙搬送駆動源から原稿用紙搬送手段への動力伝達を一部または全て阻止させてもよい。また原稿用紙搬送の動作を行う場合、共有用紙搬送駆動源から記録用紙搬送手段への動力伝達を一部または全て阻止させてもよい。また搬送ローラとピンチローラとによって用紙を挟持する押圧力を低下させてもよい。
【００４３】
また本発明によれば、記録用紙搬送と原稿用紙搬送とのうちの一方の用紙搬送状態において、他方の用紙搬送に用いられる搬送手段への動力伝達を阻止することによって、共有用紙搬送駆動源に必要なトルクを小さくすることができる。したがって共有用紙搬送駆動源から発生する熱量を抑えることができ、樹脂によって成形される共有フレームを用いても、共有用紙搬送駆動源の発熱によって生じる温度上昇に起因する画像形成品質の低下を防止することができる。
【００４４】
また本発明によれば、切換手段が、記録移動体の変位移動に連動して用紙共有駆動源による動力伝達状態を切換える。これによって単純な構成で切換手段を実現することができる。また記録移動体が移動する移動力を用いて、用紙共有駆動源による動力伝達状態を切換えることによって、動力伝達状態を切換える動力源を別途必要とせず、動力伝達状態を容易に切換えることができる。これによって制御および構造を簡単化することができ、安価に構成することができるとともに小形化することができる。
【００４５】
また本発明によれば、遊星歯車と太陽歯車とを用いることによって、記録移動体の位置制御によって、原稿用紙搬送可能状態に切換えることができる。これによって単純な構成で伝達状態を切換えることができ、伝達状態を切換えるための駆動手段を別途必要とせず、画像形成装置を小形化および安価に実現することができる。
【００４６】
また本発明によれば、複数の金属案内体によって記録移動体を交差方向に案内することによって、記録移動体と記録用紙との間隔を一定に保つことができる。また樹脂によって成形される共有フレームが熱または外力によって変形したとしても、記録移動体の交差方向の移動を正確に行わせることができ、記録画像の品質の低下を防止することができる。
【００４７】
また本発明に従えば、画像形成装置は、ファクシミリ装置である。上述したように共有フレームを用いることによって、画像読取および画像形成を行う部分を小形化することができ、通信制御手段およびダイヤル操作部などが設けられたとしても、全体としてファクシミリ装置を小形化することができる。
【００４８】
また通信回線を介して取得した画像データが示す画像を記録用紙に形成する場合、通信速度および通信データ量などの問題から、送信元から送信される画像データが示す画像の画像品質が低い場合がある。このような場合、共有フレームを用いることによって、小形化および安価に形成可能なうえ、送信元から送信される画像データが示す画像を、要求される画像品質で形成することができる。
【発明を実施するための最良の形態】
【００４９】
図１は、本発明の実施の第１形態であるファクシミリ装置２０の一部を省略して示す分解斜視図である。図２は、図１に示す各構成部品を組立てた状態を示す斜視図である。図３は、共有フレーム２１を拡大して示す斜視図であり、図４は、ファクシミリ装置２０を抽象的に示す分解斜視図である。
【００５０】
ファクシミリ装置２０は、公衆回線、たとえば電話回線に接続され、電話回線に接続される他のファクシミリ装置と通信可能に構成される。ファクシミリ装置２０は、原稿用紙に形成される画像を読取り、読取った画像を画像データとして、電話回線を介して他のファクシミリ装置に送信することができる。またファクシミリ装置２０は、他のファクシミリ装置から送信される画像データを受信し、受信した画像データを画像として記録用紙に形成することができる。
【００５１】
なお本発明において、「原稿用紙」は、ファクシミリ装置２０によって画像が読取られるシート体を意味する。「記録用紙」は、ファクシミリ装置２０によって画像が形成されるシート体を意味する。原稿用紙と記録用紙とをまとめて、「用紙」と称する場合がある。
【００５２】
ファクシミリ装置２０は、画像を記録用紙に記録するための記録構成部品を支持するとともに画像を読取るための読取構成部品を支持する共有フレーム２１を有する。共有フレーム２１は、ファクシミリ装置２０の筐体内に収容され、合成樹脂による一体成形によって形成される。
【００５３】
共有フレーム２１は、記録構成部品支持フレーム部分２６と、読取構成部品支持フレーム部分２７とを含んで構成される。本実施の形態では、記録構成部品支持フレーム部分２６は、読取構成部品支持フレーム部分２７に比べて、用紙搬送方向上流側でかつ下方に設けられる。
【００５４】
記録構成部品支持フレーム部分２６は、画像を記録用紙に記録するための記録構成部品を支持する。記録構成部品としては、記録用紙を搬送する記録用紙給紙ローラ６１、メイン搬送ローラ６２、記録用紙排紙ローラ７０と、記録用紙に画像を形成するインクカートリッジ７４を搭載して記録移動体となるキャリッジ６６とを含む。
【００５５】
読取構成部品支持フレーム部分２７は、原稿用紙に形成される画像を読取るための読取構成部品を支持する。読取構成部品としては、原稿用紙を搬送する原稿用紙給紙ローラ６３、原稿背面ローラ６４、原稿用紙排紙ローラ７５と、原稿用紙に形成される画像を読取る読取体となるイメージセンサ６８とを含む。
【００５６】
画像形成および画像読取にあたってファクシミリ装置２０は、記録用紙および原稿用紙をほぼ同一方向に搬送する。共有フレーム２１は、用紙搬送方向Ａと、用紙搬送方向Ａに交差する交差方向Ｂとが設定される。用紙搬送方向Ａは、記録用紙および原稿用紙が搬送される方向である。また交差方向Ｂは、搬送される用紙の紙面に沿って延び、用紙搬送方向Ａに垂直に延びる方向である。共有フレーム２１は、用紙を搬送するための各ローラを回転可能に支持する。各ローラは、その軸線が交差方向Ｂに延びる。また共有フレーム２１は、キャリッジ６６を交差方向Ｂに変位自在に支持する。
【００５７】
このように本実施の形態のファクシミリ装置２０は、画像を形成するためのフレーム部分２６と、原稿を読取るためのフレーム部分２７とが一体化して構成される。また後述するように画像形成のための部分と、原稿読取のための部分とが一部共有化して形成される。これによって小形でかつ構成を単純化することができ、安価に製造することができる。
【００５８】
共有フレーム２１は、交差方向Ｂの両側に形成される一対の側壁部２２，２３と、一対の側壁部２２，２３を連結して交差方向Ｂに延びる連結部２４，２５とが形成される。一対の側壁部２２，２３は、記録用紙給紙ローラ６１、メイン搬送ローラ６２および記録用紙排紙ローラ７０を回転可能に支持する。なお、記録用紙給紙ローラ６１、メイン搬送ローラ６２および記録用紙排紙ローラ７０は、記録用紙を搬送する記録用紙搬送手段となる。
【００５９】
また一対の側壁部２２，２３は、原稿用紙給紙ローラ６３、原稿背面ローラ６４および原稿用紙排紙ローラ７５を回転可能に支持する。原稿用紙給紙ローラ６３、原稿背面ローラ６４および原稿用紙排紙ローラ７５は、原稿用紙を搬送する原稿用紙搬送手段となる。具体的には、各ローラ６１，６２，７０，６３，６４，７５の両端部が、一対の側壁部２２，２３に形成される嵌合部３０にそれぞれ嵌合することによって、各ローラ６１，６２，７０，６３，６４，７５は、回転可能に支持される。
【００６０】
また共有フレーム２１には、第１モータ支持部分３１および第２モータ支持部分３２が設けられる。第１モータ支持部分３１は、用紙搬送モータ６５を支持する。第１モータ支持部分３１は、一対の側壁部２２，２３のうち、一方の側壁部２２に設けられる。たとえば用紙搬送モータ６５は、直接または間接的に共有フレーム２１に支持される。本実施の形態では図１に示すように、第１モータ支持部分３１は、共有フレーム２１と別体に形成される。なお用紙搬送モータ６５は、記録用紙および原稿用紙を搬送するための用紙搬送駆動源となる。
【００６１】
第２モータ支持部分３２は、キャリッジモータ７３を支持する。第２モータ支持部分３２は、搬送方向Ａ上流側の連結部２４に設けられる。本実施の形態では図１に示すように、キャリッジモータ７３は、共有フレーム２１と別体に形成され、後述する案内板部材１２５を介して共有フレーム２１に支持される。なおキャリッジモータ７３は、キャリッジ６６を変位駆動するためのキャリッジ搬送駆動源となる。
【００６２】
また共有フレーム２１は、用紙搬送モータ６５の動力を各ローラ６１，６２，７０，６３，６４，７５に伝達する用紙搬送伝達機構を支持する。本実施の形態では、共有フレーム２１は、一方の側壁部２２で用紙搬送伝達機構を支持する。また共有フレーム２１は、キャリッジモータ７３の動力をキャリッジ６６に伝達するキャリッジ搬送伝達機構を支持する。本実施の形態では、共有フレーム２１は、一対の側壁部２２，２３および搬送方向上流側の連結部２４で、キャリッジ搬送伝達機構を支持する。
【００６３】
本実施の形態では、用紙搬送伝達機構のうち、用紙搬送モータ６５から画像記録用の各ローラ６１，６２，７０に動力を伝達する記録用紙動力伝達手段は、歯車伝達機構によって実現される。同様に、用紙搬送モータ６５から画像読取用の各ローラ６３，６４，７５に動力を伝達する原稿用紙動力伝達手段は、歯車伝達機構によって実現される。キャリッジモータ７３からキャリッジ６６に動力を伝達するキャリッジ動力伝達機構は、ベルト伝達機構によって実現される。
【００６４】
共有フレームの連結部２４，２５は、用紙搬送にあたって、記録用紙および原稿用紙の少なくとも一方を搬送方向Ａに案内する用紙案内ガイド部分を含んで構成される。本実施の形態では、２つのうち一方の連結部２４の一部は、画像形成前の記録用紙を記録用紙給紙ローラ６１に向けて案内する案内ガイドとなる。また２つのうち他方の連結部２５の一部は、記録用紙給紙ローラ６１から給紙された記録用紙をメイン搬送ローラ６２に向けて案内する案内ガイドとなる。
【００６５】
図５は、ファクシミリ装置２０の外観を示す斜視図である。図６は、ファクシミリ装置２０を示すブロック図である。ファクシミリ装置２０は、送受話器４１と、網制御部４２と、ダイヤルキー４３と、操作キー４４と、記憶部４５と、モデム４６と、主制御部４７と、画像記憶部４９と、画像記録部５０と、画像読取部５１とを含んで構成される。
【００６６】
本実施の形態のファクシミリ装置２０は、電話機能を有する。網制御部４２は、予め定められる通信プロトコルに従う通信データを送受信し、公衆回線などを介して通信先の電話機または通信先のファクシミリ装置とデータ通信可能な状態にする。
【００６７】
また網制御部４２は、通信先の電話機から送信された音声データを送受話器４１に与えるとともに、送受話器４１から与えられる音声データを通信先の電話機に送信する。また網制御部４２は、通信先のファクシミリ装置から送信されたファクシミリデータをモデム４６に与えるとともに、モデム４６から与えられるファクシミリデータを通信先のファクシミリ装置に与える。
【００６８】
送受話器４１は、網制御部４２から与えられる音声データを音声として放音する。また送受話器４１は、作業者が発した音声を音声データとしてもう制御部４２に与える。モデム４６は、網制御部４２から与えられるファクシミリデータを、主制御部４７が読取可能な画像データに変換し、主制御部４７に与える。またモデム４６は、主制御部４７から与えられる画像データを公衆回線による通信可能なファクシミリデータに変換し、網制御部４２に与える。
【００６９】
ダイヤルキー４３は、通信先の電話機またはファクシミリ装置の電話番号が作業者によって入力され、入力されたダイヤル情報を主制御部４７に与える。操作キー４４は、画像読取動作、画像記録動作および表示動作など、ファクシミリ装置２０の動作指令が作業者によって入力され、入力された操作情報を主制御部４７に与える。たとえばダイヤルキー４３および操作キー４４は、プッシュボタンまたはタッチパネルによって実現される。
【００７０】
記憶部４５は、動作設定情報および制御プログラムなどを記憶する。記憶部４５は、主制御部４７の指令によって、記憶する情報またはプログラムを主制御部４５に与える。また記憶部４５は、主制御部４７の指令によって、主制御部４７から与えられる情報を記憶する。たとえば記憶部４５は、ＲＡＭ（Random Access Memory）およびＲＯＭ（Read
Only Memory）などによって実現される。
【００７１】
主制御部４７は、記憶部４５に記憶される動作設定情報および制御プログラムを読取り、実行することによってファクシミリ装置２０の各動作が制御される。表示部５２は、ファクシミリ装置２０の状態を表示するとともに、記録用紙に記録すべき画像、原稿用紙から読取った画像を表示することができる。表示部５２は、主制御部４７から与えられる表示指令に従って、上述した各画像を表示する。たとえば表示部５２は、液晶表示装置によって実現される。
【００７２】
画像記録部５０は、主制御部４７から画像形成動作指令とともに、記録すべき画像データが与えられて、記録用紙載置部６０に載置される記録用紙に画像を記録する。なお、本発明では、「画像記録」とは、記録用紙に画像を印刷することを意味する。本実施の形態の画像記録部５０は、インクを用紙に向けて吐出するインクジェット方式を用いて、記録用紙に画像を記録する。
【００７３】
画像読取部５１は、主制御部４７から画像読取動作指令が与えられて、原稿用紙載置部７６に載置される原稿用紙に形成される画像を画像データとして読取り、読取った画像データを主制御部４７に与える。本実施の形態の画像読取部５１は、コンタクトイメージセンサ（ＣＩＳ、Contact Image censer）を含んで実現される。イメージセンサは、交差方向Ｂに延び、原稿用紙に形成される画像のうち交差方向Ｂに延びる１ライン分を一度に読取り可能である。
【００７４】
画像記憶部４９は、主制御部４７から与えられる記憶動作指令とともに、記憶すべき画像データが与えられて、与えられた画像データを主制御部読取可能な情報として記憶する。また画像記憶部４９は、主制御部４７から与えられる読出動作指令が与えられて、記憶した画像データを主制御部４７に与える。なお、本発明では、「画像記憶」とは、画像データを電気的に記憶することを意味する。たとえば画像記憶部４９は、ＲＡＭ（Random
Access Memory）によって実現される。
【００７５】
主制御部４７は、ダイヤルキー４３および操作キー４４から与えられる指示情報に基づいて、画像記録部５０における画像形成動作、画像読取部５１における画像読取動作および、網制御部４２における通信指令動作をそれぞれ行わせる。主制御部４７は、たとえばＣＰＵ（Central Processing Unit）によって実現される。
【００７６】
画像読取動作を行う場合、主制御部４７は、操作キー４４から与えられる操作情報に基づいて、画像読取部５１を動作させて原稿用紙に形成される画像を画像データとして読取り、読取った画像データを画像記憶部４９に記憶させる。また画像データ送信動作を行う場合、ダイヤルキー４３から与えられるダイヤル情報に応じた通信先のファクシミリ装置と接続するよう、網制御部４２に指令を与える。そして通信先のファクシミリ装置に、画像記憶部４９に記憶した画像データのうち、操作情報に応じた画像データを送信する。
【００７７】
また画像データ受信動作を行う場合、網制御部４２から画像データが与えられたことを判断すると、通信先の通信装置と接続するよう網制御部４２に指令を与える。そして通信先の通信装置から画像データを受信し、受信した画像データを画像記憶部４９に記憶させる。また画像記録動作を行う場合、主制御部４７は、操作情報に基づいて画像記録部５０を動作させて、画像記憶部４９に記憶した画像データのうち、操作情報に応じた画像データが示す画像を記録用紙に形成する。
【００７８】
図７は、ファクシミリ装置２０の用紙搬送経路を説明するための図であり、一部を省略して示す。図８は、画像記録部５０と、画像読取部５１との電気的構成を示すブロック図である。画像記録部５０は、記録用紙載置部６０と、記録用紙給紙ローラ６１と、用紙分離部６９と、メイン搬送ローラ６２と、記録用紙排紙ローラ７０と、用紙搬送モータ６５と、キャリッジモータ７３と、キャリッジ６６とを含んで構成される。
【００７９】
記録用紙載置部６０は、画像形成前の記録用紙を複数保持する。記録用紙載置部６０は、用紙搬送方向Ａの下流側に開口が形成される。用紙分離部６９は、記録用紙載置部６０の開口形成部分６０ａの搬送方向下流側に配置され、記録用紙給紙ローラ６１は、用紙分離部６９に対向して配置される。用紙分離部６９と記録用紙給紙ローラ６１とは、交差方向Ｂ（図７では紙面に垂直な方向）に延びる。記録用紙給紙ローラ６１は、ばねまたはゴムなど弾発力を有する押圧手段によって、用紙分離部６９に向かって押圧される。
【００８０】
メイン搬送ローラ６２は、記録用紙給紙ローラ６１よりも用紙搬送方向Ａの下流側に配置されて、前記交差方向Ｂに延びる。記録用紙排紙ローラ７０は、メイン搬送ローラ６２よりも用紙搬送方向Ａの下流側に配置されて、前記交差方向Ｂに延びる。各ローラ６１，６２，７０の軸線は、それぞれ平行に延びる。記録用紙給紙ローラ６１、メイン搬送ローラ６１および記録用紙排紙ローラ７０は、用紙搬送モータ６５から与えられる動力によって回転駆動する。また共有フレーム２１は、第１ピンチローラ７１および第２ピンチローラ７２が設けられる。第１ピンチローラ７１は、メイン搬送ローラ６１に対して対向して、メイン搬送ローラ６１を押圧し、回転可能に共有フレーム２１に支持される。第２ピンチローラ７２は、記録用紙排紙ローラ７０に対して対向して、記録用紙排紙ローラ７０を押圧し、回転可能に共有フレーム２１に支持される。
【００８１】
記録用紙給紙ローラ６１および各ピンチローラ７１，７２は、搬送される記録用紙の厚み方向一方側に配置される。また用紙分離部６９、メイン搬送ローラ６２および記録用紙排紙ローラ７０は、搬送される記録用紙の厚み方向他方側に配置される。したがってメイン搬送ローラ６２および記録用紙排紙ローラ６５が回転方向一方である正転方向Ｒ１に回転し、記録用紙給紙ローラ６１が回転方向他方である逆転方向Ｒ２に回転することによって記録用紙が搬送方向Ａに搬送される。なおファクシミリ装置２０は、記録用紙の厚み方向一方側表面に画像を形成する。
【００８２】
記録用紙載置部６０に載置された記録用紙は、記録用紙載置部６０の開口形成部分６０ａから用紙分離部６９に向かって移動し、用紙搬送方向Ａ下流側の部分が、用紙分離部６９と記録用紙給紙ローラ６１との間に進入する。用紙分離部６９は、複数の記録用紙が重なって構成される記録用紙積層体の、厚み方向他方の面に当接する。また記録用紙給紙ローラ６１は、記録用紙積層体の厚み方向一方の面に当接する。記録用紙給紙ローラ６１は、記録用紙積層体を用紙分離部６９に向かって押圧した状態で、軸線まわりに逆転方向Ｒ２に回転することによって、複数の記録用紙のうち記録用紙給紙ローラ６１に接触する一枚の記録用紙を、メイン搬送ローラ６２に向けて給紙搬送する。
【００８３】
メイン搬送ローラ６２に向けて搬送された記録用紙は、メイン搬送ローラ６２と第１ピンチローラ７１との間に進入する。メイン搬送ローラ６２は、正転方向Ｒ１に回転することによって記録用紙を、搬送方向Ａに移動させて画像形成位置を通過させる。そして記録用紙は、記録用紙排紙ローラ７０と第２ピンチローラ７２との間に進入する。記録用紙排紙ローラ７０は、正転方向Ｒ１に回転することによって記録用紙を、排出位置に移動させる。
【００８４】
メイン搬送ローラ６２と記録用紙排紙ローラ７０との間には、画像形成位置が設定される。画像形成位置は、インクを記録用紙に吐出して画像を形成する位置である。キャリッジ６６は、記録用紙のうちで画像形成位置に位置する記録部分に対向する。キャリッジ６６は、交差方向Ｂに移動可能に設けられ、インク記録ヘッドを搭載する記録移動体となる。キャリッジ６６は、キャリッジモータ７３によって交差方向Ｂに変位移動する動力が与えられる。
【００８５】
キャリッジ６６は、インクカートリッジ７４を着脱可能に保持する。インクカートリッジ７４は、インクを収容するインクタンクと、インクを吐出する機能素子としてのインク記録ヘッドとを有する。カートリッジ７４は、可撓性を有するフレキシブルケーブルによって主制御部４７と接続される。フレキシブルケーブルを介して主制御部４７からインク吐出指令が与えられると、インクカートリッジ７４は、記録用紙のうち画像形成位置に位置する記録部分にインクを吐出する。
【００８６】
主制御部４７と各モータ６６，７３とは、ケーブルによって接続される。各モータ６６，７３は、主制御部４７からケーブルを介して回転指令が与えられると、それぞれ個別に角変位動作する。主制御部４７は、キャリッジモータ７３に回転指令を与えることによって、キャリッジ６６を交差方向Ｂに移動させることができる。また主制御部４７は、用紙搬送モータ６５に回転指令を与えることによって、記録用紙を用紙搬送方向Ａに移動させることができる。
【００８７】
主制御部４７は、キャリッジモータ７３に回転指令を与えてインクカートリッジ７４の交差方向Ｂの位置にあわせて、インクの吐出タイミングを制御することによって、形成すべき画像のうち１ライン分の画像を記録用紙に形成させることができる。１ライン分の印刷が完了すると、主制御部４７は、用紙搬送モータ６５に回転指令を与えて、メイン搬送ローラ６２を角変位させて、記録用紙を搬送方向Ａへ１ライン分移動させ、再び形成すべき画像のうち１ライン分の画像を記録用紙に形成させる。主制御部４７が、このような動作を繰返すことで、一枚の記録用紙に画像を形成することができる。
【００８８】
画像読取部５１は、原稿用紙載置部７６と、分離ゴム７７と、原稿用紙給紙ローラ６３と、原稿背面ローラ６４と、原稿読取センサであるイメージセンサ６８と、原稿用紙排紙ローラ７５と、用紙搬送モータ６５とを含んで構成される。なお、画像読取部５１の用紙搬送モータ６５は、画像記録部５０の用紙搬送モータ６５と共通の１つのモータによって実現される。
【００８９】
原稿用紙載置部７６は、画像読取前の原稿用紙を複数保持する。原稿用紙載置部７６は、用紙搬送方向Ａの下流側に開口が形成される。分離ゴム７７は、原稿用紙載置部７６の開口形成部分７６ａの搬送方向下流側に配置され、原稿用紙給紙ローラ６３は、分離ゴム７７に対向して配置される。分離ゴム７７と原稿用紙給紙ローラ６３とは交差方向Ｂに延びる。原稿用紙給紙ローラ６３は、ばねまたはゴムなどの弾発力を有する押圧手段によって分離ゴム７７に向かって押圧される。
【００９０】
原稿背面ローラ６４は、原稿用紙給紙ローラ６３よりも用紙搬送方向Ａの下流側に配置されて、前記交差方向Ｂに延びる。原稿用紙排紙ローラ７５は、原稿背面ローラ６４よりも用紙搬送方向Ａの下流側に配置されて、前記交差方向Ｂに延びる。各ローラ６３，６４，７５の軸線は、それぞれ平行に延びる。原稿用紙給紙ローラ６３、原稿背面ローラ６４および原稿用紙排紙ローラ７５は、用紙搬送モータ６５から与えられる動力によって回転駆動する。また共有フレーム２１は、原稿用紙排紙ローラ７５を押圧し、回転可能に設けられるピンチローラ７７が設けられる。
【００９１】
分離ゴム７７、原稿用紙背面ローラ６４およびピンチローラ７７は、搬送される原稿用紙の厚み方向一方側に配置される。また原稿用紙給紙ローラ６３、イメージセンサ６８および原稿用紙排紙ローラ７５は、搬送される原稿用紙の厚み方向他方側に配置される。これによって原稿用紙給紙ローラ６３および原稿用紙排紙ローラ７５が回転方向一方である正転方向Ｒ１に回転し、原稿用紙背面ローラ６４が回転方向他方である逆転方向Ｒ２に回転することによって原稿用紙が搬送される。なおファクシミリ装置２０は、原稿用紙の厚み方向他方側表面に形成される画像を読取る。
【００９２】
原稿用紙載置部７６に載置された原稿用紙は、原稿用紙載置部７６の開口形成部分７６ａから分離ゴム７７に向かって移動し、用紙搬送方向Ａ下流側の部分が、分離ゴム７７と原稿用紙給紙ローラ６３との間に進入する。分離ゴム７７は、複数の原稿用紙が重なって構成される原稿用紙積層体の厚み方向一方の面に当接する。また原稿用紙給紙ローラ６３は、原稿用紙積層体の厚み方向他方の面に当接する。原稿用紙給紙ローラ６３は、原稿用紙積層体を分離ゴム７７に向かって押圧した状態で、軸線まわりに正転方向Ｒ１に回転することによって、複数の原稿用紙のうち原稿用紙給紙ローラ６３に接触する一枚の原稿用紙を、原稿背面ローラ６４に向けて給紙搬送する。
【００９３】
原稿背面ローラ６４に向けて搬送された原稿用紙は、原稿背面ローラ６４とイメージセンサ６８との間に進入する。原稿背面ローラ６４は、逆転方向Ｒ２に回転することによって原稿用紙を、搬送方向Ａに移動させてイメージセンサ６８上を通過させる。そして原稿用紙は、原稿用紙排紙ローラ７５とピンチローラ７７との間に進入する。原稿用紙排紙ローラ７５は、正転方向Ｒ１に回転することによって原稿用紙を、排出位置に移動させる。
【００９４】
原稿背面ローラ６４は、回転することによって原稿用紙をイメージセンサ６８に押付けつつ、原稿用紙を搬送方向Ａに移動させる。イメージセンサ６８は、一度に原稿用紙に形成される画像のうち交差方向Ｂに延びる１ライン分の画像を画像データとして読取る。イメージセンサ６８は、１ライン分づつ読取った画像データを主制御部４７に与える。したがって原稿用紙がイメージセンサ６８を完全に通過することによって、主制御部４７に与えられた画像データを合成することで、原稿用紙に形成される画像を画像データとして読取ることができる。
【００９５】
本実施の形態では、画像記録部５０には、記録用紙の給紙状態が正常であるか否かを検出する記録用紙検知センサ７８が設けられる。記録用紙検知センサ７８は、記録用紙の給紙状態の有無を示す信号を主制御部４７に与える。主制御部４７は、記録用紙検知センサ７８から信号が与えられることによって、記録用紙の給紙状態の有無を判断することができる。記録用紙検知センサ７８は、たとえば光センサによって実現され、記録用紙の給紙状態によって変化する受光状態を示す信号を主制御部４７に与える。
【００９６】
画像読取部５１には、原稿用紙の給紙状態が正常であるか否かを検出する原稿用紙検知センサ７９が設けられる。原稿用紙検知センサ７９は、原稿用紙の給紙状態の有無を示す信号を主制御部４７に与える。主制御部４７は、原稿用紙検知センサ７９から信号が与えられることによって、原稿用紙の給紙状態の有無を判断することができる。原稿用紙検知センサ７９は、たとえば光センサによって実現され、原稿用紙の給紙状態によって変化する受光状態を示す信号を主制御部４７に与える。
【００９７】
図９は、動力伝達機構８０，９０，１１０を示す斜視図である。用紙搬送モータ６５は、そのシャフト９９に駆動歯車１００が装着される。駆動歯車１００は、共有フレーム２１に支持される基準歯車１０１に噛合する。基準歯車１０１は、共有フレーム２１に回転可能に支持され、正転および逆転可能に設けられる。基準歯車１０１は、共有フレーム２１のうち搬送方向中間部に設けられる。
【００９８】
記録用歯車伝達機構８０は、基準歯車１０１に対して搬送方向上流側に配置される。記録用歯車伝達機構８０は、第１記録用歯車８１と、第２記録用歯車８２と、第３記録用歯車８３と、第４記録用歯車８４と、第５記録用歯車８５と、記録用公転腕部材８６とを含む。第１記録用歯車８１〜第３記録用歯車８３は、共有フレーム２１に回転可能に支持される。また第４記録用歯車８４および第５記録用歯車８５は、記録用公転腕部材８６によって支持される。
【００９９】
記録用公転腕部材８６は、第３記録用歯車８３の軸線まわりに角変位可能でかつ自転可能に設けられ、共有フレーム２１に支持される。第４記録用歯車８４は、ばねなどによって記録用公転腕部材８６に設けられる当接部分に押圧された状態で、記録用公転腕部材８６に角変位可能に支持される。すなわち第４記録用歯車８４は、負荷が与えられた状態で回転する。これによって記録用公転腕部材８６の角変位が許容された状態では、第３記録用歯車８３が回転すると、記録用公転腕部材８６が角変位するとともに、第４記録用歯車８４および第５記録用歯車８５が自転および公転する。なお、第１〜第５記録用歯車は、第１記録用歯車から順に搬送方向下流側に並ぶ。
【０１００】
第１記録用歯車８１は、前記基準歯車１０１に噛合し、基準歯車１０１とともに回転する。第２記録用歯車８２は、第１記録用歯車８１に噛合するアイドル歯車となる。第３記録用歯車８３は、第２記録用歯車８２に噛合し、第４記録用歯車８４および第５記録用歯車８５に対する太陽歯車となる。第４記録用歯車８４は、第３記録用歯車８３に噛合し、第３記録用歯車８３に対する遊星歯車となる。第５記録用歯車８５は、第４記録用歯車８４に噛合し、第３記録用歯車８３に対する遊星歯車となる。記録用公転腕部材８６は、第３記録用歯車８３まわりの周方向の変位が許容された状態と、第３記録用歯車８３まわりの周方向の変位が阻止された状態とに切換る。具体的には、記録用公転腕部材８３は、記録用紙給紙ローラ６１が記録用紙に当接すると、変位が阻止された状態に切換る。
【０１０１】
基準歯車１０１が回転すると、第１〜第５記録用歯車８１〜８５がそれぞれ回転する。記録用公転腕部材８６が第３記録用歯車８３まわりの周方向の変位が許容された状態では、第４記録用歯車８４および第５記録用歯車８５は、第３記録用歯車８３の軸線まわりに公転回転するとともに、各軸線まわりに自転回転する。また記録用公転腕部材８６が第３記録用歯車８３まわりの周方向の変位が阻止された状態では、第４記録用歯車８４および第５記録用歯車８５は、第３記録用歯車８３の軸線まわりの公転回転が阻止されて、自転回転する。
【０１０２】
メイン搬送ローラ６２は、第１記録用歯車８１に同軸に連結される。また記録用紙給紙ローラ６１は、第５記録用歯車８５に同軸に連結される。したがって第１記録用歯車８１が回転するとともに、メイン搬送ローラ６２および記録用紙給紙ローラ６１が回転する。同様に記録紙排紙ローラ７０は、図視しない歯車伝達機構によって用紙搬送モータ６５の回転の回転にともなって回転する。
【０１０３】
記録用公転腕部材８６は、用紙搬送モータ６５が逆転すると、第４記録用歯車８４によって第３記録用歯車８３の軸線を中心とする周方向一方に角変位する力が与えられる。この周方向一方は、記録用紙給紙ローラ６１が記録用紙載置部６０に載置される記録用紙に近接する方向（図８の矢符Ｄに示す方向）となる。
【０１０４】
このように複数の歯車８１〜８５によって、記録用紙給紙ローラ６１、メイン搬送ローラ６２および記録用紙排紙ローラ７０に動力を伝達することによって、用紙搬送モータ６５に対して、記録用紙給紙ローラ６１、メイン搬送ローラ６２および記録用紙排紙ローラ７０を配置する位置の選択肢を増やすことができる。また用紙搬送モータ６５を一方向に回転したときに、記録用紙給紙ローラ６１と、メイン搬送ローラ６２および記録紙排紙ローラ７０との回転方向を異ならせることができる。
【０１０５】
またファクシミリ装置２０は、用紙搬送モータ６５から原稿用紙給紙ローラ６４および原稿用紙排紙ローラ６４への動力伝達状態を許容する状態と、動力伝達状態を阻止する阻止状態とに切換える切換手段を有する。切換手段は、共有フレーム２１に支持され、キャリッジ６６が所定の位置に存する場合に搬送状態を切換える。本実施の形態では、切換手段は、複数の歯車１１１，１１２によって構成される切換用歯車伝達機構１１０を含む。切換用歯車伝達機構１１０は、共有フレーム２１の一方の側壁部２２に支持される。
【０１０６】
切換用歯車伝達機構１１０は、基準歯車１０１に対して搬送方向下流側に配置される。切換用歯車伝達機構１１０は、第１切換用歯車１１１と、第２切換用歯車１１２と、切換用公転腕部材１１３とを含む。第１切換用歯車１１１は、共有フレーム２１に回転可能に支持される。第２切換用歯車１１２は、切換用公転腕部材１１３に回転可能に支持される。
【０１０７】
切換用公転腕部材１１３は、第１切換用歯車１１１の軸線まわりに角変位可能でかつ自転可能に設けられ、共有フレーム２１に支持される。第２切換用歯車１１２は、ばねなどによって切換用公転腕部材１１３に設けられる当接部分に押圧された状態で、切換用公転腕部材１１３に角変位可能に支持される。すなわち第２切換用歯車１１２は、負荷が与えられた状態で回転する。これによって切換用公転腕部材１１２の角変位が許容された状態では、第１切換用歯車１１１が回転すると、切換用公転腕部材１１２が角変位するとともに、第２切換用歯車１１２が自転および公転する。
【０１０８】
第１切換用歯車１１１は、前記基準歯車１０１に噛合し、基準歯車１０１とともに回転する。第１切換用歯車１１１は、第２切換用歯車１１２に噛合し、第２切換用歯車１１２に対する太陽歯車となる。したがって第２切換用歯車１１２は、第１切換用歯車１１１に対する遊星歯車となる。切換用公転腕部材１１３は、第１切換用歯車１１１まわりの周方向の変位が許容された状態と、第１切換用歯車１１１まわりの周方向の変位が阻止された状態とに切換る。
【０１０９】
基準歯車１０１が回転すると、第１切換用歯車１１１および第２切換用歯車１１２がそれぞれ回転する。切換用公転腕部材１１３が第１切換用歯車１１１まわりの周方向の変位が許容された状態では、第２切換用歯車１１２は、第１切換用歯車１１１の軸線まわりに公転回転するとともに、その軸線まわりに自転回転する。また切換用公転腕部材１１３が第１切換用歯車１１１まわりの周方向の変位が阻止された状態では、第２切換用歯車１１２は、第１切換用歯車１１１の軸線まわりの公転回転が阻止されて、自転回転する。
【０１１０】
切換用公転腕部材１１３は、用紙搬送モータ６５が正転すると、第２切換用歯車１１２によって、第１切換用歯車１１１の軸線を中心とする周方向一方に、角変位する力が与えられる。この周方向一方は、第２切換用歯車１１２が、後述する読取用歯車伝達機構９０の第１読取用歯車９１に近接する方向（図８の矢符Ｅに示す方向）となる。
【０１１１】
読取動作状態では、切換片１３８が切換用公転腕部材１１３の角変位を許容する。これによって第２切換用歯車１１２は、搬送方向下流側に変位して読取動作噛合位置に位置し、後述する第１読取用歯車９１に噛合する。また読取動作状態以外では、切換片１３８によって切換用公転腕部材１１３が係止されて非読取位置に変位駆動される。これによって第２切換用歯車１１２は、搬送方向上流側に変位して非読取動作噛合位置に位置し、第１読取用歯車９１との噛合状態が解除される。
【０１１２】
読取用歯車伝達機構９０は、切換用歯車切換機構１１０に対して搬送方向下流側に配置される。読取用歯車伝達機構９０は、第１読取用歯車９１と、第２読取用歯車９２と、第３読取用歯車９３と、第４読取用歯車９４と、第５読取用歯車９５と、第６読取用歯車９６と、第７読取用歯車９７とを含む。第１読取用歯車９１〜第７読取用歯車９７は、共有フレーム２１に回転可能に支持される。第２読取用歯車９２および第７読取用歯車９７は、ともに第２読取用歯車９２よりも搬送方向下流側に配置される。また第２読取用歯車９２は、第７読取用歯車９７よりも搬送方向上流側に配置される。
【０１１３】
第１読取用歯車９１は、読取動作噛合位置に変位した第２切換用歯車１１２に噛合し、第２切換用歯車１１２とともに回転する。第２読取用歯車９２は、第１読取用歯車９１に噛合する。第３読取用歯車９３は、第２読取用歯車９２に噛合する。第４読取用歯車９４は、第２読取用歯車９２に噛合する。第５読取用歯車９５は、第４読取用歯車９４に噛合する。第６読取用歯車９６は、第５読取用歯車９５に噛合する。第７読取用歯車９７は、第６読取用歯車９６に噛合する。したがって第１読取用歯車９１が回転すると、第２〜第７読取用歯車９２〜９７がそれぞれ回転する。
【０１１４】
原稿用紙給紙ローラ６３は、第３読取用歯車９３に同軸に連結される。また原稿用紙排紙ローラ６４は、第７記録用歯車９７に同軸に連結される。したがって第１読取用歯車９１が回転するとともに、原稿用紙給紙ローラ６３および原稿用紙排紙ローラ６４が回転する。なお、歯車伝達機構によって、用紙搬送モータ６５を一方向に回転したときに、原稿用紙給紙ローラ６３と原稿背面ローラ６４との回転方向を異ならせることができる。
【０１１５】
図１０は、画像記録部５０のうち、記録用紙１２０を搬送する構成を簡略化して示すファクシミリ装置２０の平面図である。共有フレーム２１の一方の側壁部２２は、記録用紙給紙ローラ６１を片持ち支持する。記録用紙給紙ローラ６１は、記録用紙載置部６０に載置される記録用紙１２０に対して近接および離反移動可能に形成される。記録用給紙ローラ６１が片持ち支持されることによって、ファクシミリ装置２０を小形化することができる。
【０１１６】
共有フレーム２１の一対の側壁部２２，２３は、メイン搬送ローラ６２の両端部をそれぞれ支持する。またメイン搬送ローラ６２に対向する位置に第１ピンチローラ７１が設けられる。第１ピンチローラ７１は、複数設けられて交差方向Ｂに延び、記録用紙１２０に部分的にそれぞれ当接する。本実施の形態では、第１ピンチローラ７１は、４つ形成される。各第１ピンチローラ７１は、メイン搬送ローラ６２を通過する記録用紙１２０に当接し、交差方向Ｂにほぼ等間隔にそれぞれ配置される。
【０１１７】
共有フレーム２１の一対の側壁部２２，２３は、記録用紙排紙ローラ７０の両端部をそれぞれ支持する。また記録用紙排紙ローラ７０に対向する位置に第２ピンチローラ７２が設けられる。第２ピンチローラ７２は、複数設けられて、記録用紙１２０に部分的にそれぞれ当接する。本実施の形態では、第２ピンチローラ７２は、４つ形成される。各第２ピンチローラ７２は、画像が形成された記録用紙１２０に当接し、交差方向Ｂにほぼ等間隔にそれぞれ配置される。第２ピンチローラ７２は、画像形成された記録用紙の画像形成面側に接触するので、歯車形状のスターローラであることが好ましい。これによって形成した画像がにじむことを防ぐことができ、用紙搬送モータ６５に必要なトルクを小さくすることができる。
【０１１８】
用紙搬送モータ６５が回転することによって、記録用歯車伝達機構８０を構成する各歯車８１〜８５が回転して、記録用紙給紙ローラ６１、メイン搬送ローラ６２および記録用紙排紙ローラ７０が回転する。記録用紙給紙ローラ６１は、用紙分離部６９と協働して記録用紙１２０を挟持する。またメイン搬送ローラ６２は、第１ピンチローラ７１と協働して記録用紙を挟持する。また記録用紙排紙ローラ７０は、第２ピンチローラ７２と協働して記録用紙を挟持する。各ローラが記録用紙を挟持した状態で、軸線まわりに回転することによって、記録用紙載置部６０に載置される記録用紙１２０を一枚ずつ排出位置に搬送することができる。
【０１１９】
記録用紙給紙ローラ６１を用紙分離部６９に押付ける力、第１ピンチローラ７１をメイン搬送ローラ６２に押付ける力および第２ピンチローラ７２を記録用紙ローラ７０に押付ける力は、要求される搬送精度を保ったうえで、用紙搬送モータ６５に必要なトルクが可及的に小さくなるように設定される。
【０１２０】
ファクシミリ装置２０は、通信速度および通信データ量などの関係によって、送信元から送信される画像データが示す画像の画像品質が低い場合がある。この場合、要求される搬送精度が低い。本実施の形態では、上述したローラが記録用紙を押付ける力を過剰にすることなく可及的に小さく設定され、要求される搬送精度を保ったうえで、用紙搬送モータ６５に必要なトルクが小さくなるように設定される。
【０１２１】
これによって用紙搬送モータ６５から発生する熱量を抑えることができ、記録用紙搬送時に用紙搬送モータ６５が高温になることを防ぐことができる。したがって合成樹脂によって共有フレーム２１を形成した場合であっても、モータの発熱による共有フレーム２１の変形を抑えることができ、熱変形による画像形成品質の低下を防止することができる。
【０１２２】
図１１は、画像記録部５０のうち、キャリッジ６６を変位駆動する構成を簡略化して示すファクシミリ装置２０の平面図である。画像記録部５０は、キャリッジ６６を交差方向に変位駆動するために、キャリッジモータ７３、ベルト駆動歯車１２１、ベルト従動歯車１２２、キャリッジ搬送ベルト１２３、案内軸１２４、案内板部材１２５および案内部材ガイド１２６を有する。
【０１２３】
キャリッジモータ７３は、共有フレーム２１に支持される。キャリッジモータ７３のシャフト９８には、ベルト駆動歯車１２１が装着される。ベルト従動歯車１２２は、ベルト駆動歯車１２１に対して交差方向Ｂに並んで配置され、回転可能に共有フレーム２１に支持される。ベルト駆動歯車１２１は、共有フレーム２１の一方の側壁部２２寄りに設けられ、ベルト従動歯車１２２は、共有フレーム２１の他方の側壁部２３寄りに設けられる。
【０１２４】
キャリッジ搬送ベルト１２３は、ベルト駆動歯車１２１とベルト従動歯車１２２との間に巻き掛けられる。キャリッジ搬送ベルト１２３は、キャリッジ６６と連結する連結部が設けられる。したがってベルト駆動歯車１２１がキャリッジモータ７３によって回転されると、キャリッジ搬送ベルト１２３の連結部とともに、キャリッジ６６が交差方向Ｂに変位する。
【０１２５】
図１２は、キャリッジ６６の支持状態を示す斜視図である。案内軸１２４は、キャリッジ搬送ベルト１２３の近傍を交差方向Ｂに延び、円柱状に形成される。案内軸１２４は、キャリッジ６６に形成される挿通孔を緩やかに挿通し、両端部が共有フレーム２１の一対の側壁部２２，２３にそれぞれ支持される。また案内部材１２５は、交差方向Ｂに延び、板状に形成される。案内部材１２５は、両端部が共有フレーム２１の一対の側壁部２２，２３にそれぞれ支持される。案内部材１２５は、交差方向Ｂに延びる案内凸部１２９が設けられる。
【０１２６】
案内部材ガイド１２６は、キャリッジ６６に固定され、案内部材１２５に形成される案内凸部１２９に嵌合する嵌合凹所が形成される。嵌合凹所は、交差方向Ｂ両側に開口が形成される。したがって案内部材ガイド１２６の嵌合凹所に、案内部材１２５の案内凸部１２９が嵌合した状態で、キャリッジ６６は、交差方向Ｂに移動することができる。
【０１２７】
キャリッジ６６は、案内軸１２４および案内部材１２５によって案内されることによって交差方向Ｂへの変位が許容された状態で、他の方向への変位が阻止される。また、２つの案内体１２４，１２５によってキャリッジ６６を支持することによって、キャリッジ６６が案内軸１２４まわりに角変位することを阻止することができ、搬送される記録用紙１２０とインク記録ヘッドとの距離Ｌを一定に保つことができる。さらに案内板部材１２５および案内軸１２４を金属によって形成することによって、共有フレーム２１が熱変形した場合であっても、形成される画像の品質の低下を抑えることができる。
【０１２８】
図１３は、画像読取部５１のうち、原稿用紙３３０を搬送する構成を簡略化して示すファクシミリ装置２０の平面図である。共有フレーム２１の一方の側壁部２２は、原稿用紙給紙ローラ６３を片持ち支持する。原稿用紙給紙ローラ６３が片持ち支持されることによって、ファクシミリ装置２０を小形化することができる。
【０１２９】
共有フレーム２１の一対の側壁部２２，２３は、原稿背面ローラ６４の両端部をそれぞれ支持する。また原稿背面ローラ６４に対向する位置にイメージセンサ６８が設けられる。用紙搬送モータ６５が回転することによって、原稿用歯車伝達機構９０を構成する各歯車９１〜９７が回転して、原稿用紙給紙ローラ６３、原稿背面ローラ６４が回転する。原稿用紙給紙ローラ６３は、分離ゴム７７と協働して原稿用紙を挟持する。また原稿背面ローラ６４は、イメージセンサ６８と協働して原稿用紙を挟持する。各ローラが原稿用紙を挟持した状態で、軸線まわりに回転することによって、原稿用紙載置部７６に載置される記録用紙１２０を一枚ずつ排出位置に搬送することができる。
【０１３０】
また原稿背面ローラ６４は、共有フレーム２１から着脱自在に構成される。ファクシミリ装置２０の筐体の一部を取外し、さらに原稿背面ローラ６４を共有フレーム２１から着脱することによって、イメージセンサ６８を露出させることができる。この状態で、作業者がイメージセンサ６８の埃を取除いて、イメージセンサ６８を清掃することができ、読取品質の低下を防止することができる。
【０１３１】
図１４は、記録動作と読取動作とを切換える切換手段を簡略化して示す側面図であり、図１５は、図１４のＳ１５−Ｓ１５から見た側面図である。図１４（１）および図１５（１）は記録動作状態を示し、図１４（２）および図１５（２）は、読取動作状態を示す。
【０１３２】
ファクシミリ装置２０は、記録動作と読取動作とで搬送状態を切換える切換手段を有する。切換手段は、キャリッジ６６の位置に連動して記録動作搬送状態と、読取動作搬送状態とを切換える。記録動作搬送状態では、用紙搬送モータ６５から原稿用歯車伝達機構９０への動力伝達を阻止する。また読取動作搬送状態では、用紙搬送モータ６５から原稿用歯車伝達機構９０への動力伝達を許容する。
【０１３３】
本実施の形態では、キャリッジ６６が記録用紙に画像形成可能な印刷領域を外れて、共有フレーム２１の他方の側壁部２３よりに移動したときに読取動作搬送状態に切換える。またキャリッジ６６が印刷領域に配置されるときに記録動作搬送状態に切換える。具体的には、切換手段は、切換片１３０と、第１ばね体１３１と、上述した切換用歯車伝達機構１１０とを有する。また説明のために、他方の側壁部２３から一方の側壁部２２に向かう方向を交差方向一方Ｂ１とし、一方の側壁部２２から他方の側壁部２３に向かう方向を交差方向他方Ｂ２とする。
【０１３４】
切換片１３０は、交差方向Ｂに延び、交差方向Ｂにスライド可能に共有フレーム２１に支持される。切換片１３０のうち交差方向他方Ｂ２の端部には、キャリッジ６６に係止される係止部１３５が形成される。また切換片１３０のうち交差方向一方Ｂ１の端部には、残余の部分に比べて搬送方向寸法が小さい先細部１３６と、先細部１３６よりも交差方向他方Ｂ２に形成されて先細部１３６よりも搬送方向上流側に隆起する幅広部１３７とが形成される。
【０１３５】
切換片１３０のうち交差方向一方Ｂ１の端部には、切換用公転腕部材１３３に形成される当接部１３８が当接する。この当接部１３８は、切換片１３０の搬送方向上流側の側面に当接する。先端部１３６と幅広部１３７との搬送方向上流側の側面は、滑らかに連なる。したがって当接部１３８は、先端部１３６と幅広部１３７とにわたって摺動可能に当接する。第１ばね体１３１は、共有フレーム２１と切換片１３０とを連結する。第１ばね体１３１は、交差方向一方Ｂ１に向かう力を切換片１３０に与える。
【０１３６】
図１４（１）に示すように、キャリッジ６６が印刷領域に存在する場合、切換片１３０は、第１ばね体１３１のばね力によって交差方向一方Ｂ１に変位する。これによって当接部１３８は、切換片１３０のうち幅広部１３７に当接して搬送方向上流側に移動する。切換用公転腕部材１１３が当接部１３８とともに搬送方向上流側に変位することによって、図１５（１）に示すように、第２切換用歯車１１２と第１読取用歯車との噛合状態が解除される。これによって用紙搬送モータ６５の動力が読取用歯車伝達機構９０に伝達されることが阻止される。
【０１３７】
図１４（２）に示すように、キャリッジ６６が印刷領域から外れて、交差方向他方Ｂ２の待機位置１４０に移動すると、切換片１３０の係止部１３５とキャリッジ６６とが係合し、切換片１３０は、キャリッジ６６とともに交差方向他方Ｂ２に移動する。切換片１３０は、第１ばね体１３１のばね力に抗して、交差方向他方Ｂ２に変位する。これによって切換用公転腕部材１１３の当接部１３８と、幅広部１３７との当接状態が解除され、切換用公転腕部材１１３は、搬送方向下流側への角変位が許容された許容状態となる。この状態で、図１５（２）に示すように、切換用第１歯車が正転方向Ｒ１に回転することによって、切換用公転腕部材１１３が搬送方向下流側に変位することによって、第２切換歯車１１２と第１読取用歯車９１とが噛合状態となる。これによって用紙搬送モータ６５の動力を読取用歯車伝達機構９０に伝達可能となる。
【０１３８】
このように記録用紙搬送状態と、原稿用紙搬送状態との切換には、切換片１３０に係留する切換用公転腕部材１１３の当接部１３８の係留位置を変更することによって行う。具体的には、当接部１３８の係留位置の変更は、キャリッジモータ７３によってキャリッジ６６を所定位置に移動させることによって実現することができる。図１４（２）に示すように、用紙搬送モータ６５の動力が読取用歯車伝達機構９０に伝達されるときのキャリッジ６６の位置は、印刷領域から外れた位置であって、記録ヘッドが記録ヘッド受け部１３９に対向する位置に設定されることが好ましい。
【０１３９】
記録ヘッド受部１３９は、記録ヘッドの乾燥による吐出孔の目詰りおよびインク漏れによる汚染をふせぐために、記録ヘッドを覆う部材であって、印刷領域外の所定位置に固定される。待機位置に配置されたときに、原稿用紙搬送動作に切換るので、原稿用紙搬送動作のためにキャリッジ６６を別途移動させる必要がなく、単純な構成および制御によって記録用紙搬送動作と原稿用紙搬送動作とを切換えることができる。
【０１４０】
図１６は、記録用紙を給紙するときの用紙搬送動作を説明するための側面図である。記録用紙１２０に画像を形成するときに用紙搬送モータ６５を回転する方向を正転方向Ｒ１（図１６では時計まわりの方向）とする。これに対して、記録用紙を給紙するときには、用紙搬送モータ６５を逆転方向Ｒ２（図１６では反時計まわりの方向）に回転する。これによって基準歯車１０１は正転方向Ｒ１に回転し、第１記録用歯車８１は逆転方向Ｒ２に回転し、第２記録用歯車８２は正転方向Ｒ１に回転し、第３記録用歯車８３は逆転方向Ｒ２に回転する。
【０１４１】
第３記録用歯車８３が逆転方向Ｒ２に回転することによって、記録用公転腕部材８６に、第３記録用歯車８３の軸線まわりに逆転方向Ｒ２に回転する力が与えられる。これによって記録用公転腕部材８６が記録紙に近接する方向に角変位し、第４記録用歯車８４および第５記録用歯車８５は、記録用公転腕部材８６とともに第３記録用歯車８３の軸線まわりに逆転方向Ｒ２に回転する。
【０１４２】
したがって第５記録用歯車８５に連結される記録用紙給紙ローラ６１が、記録用紙に接触して、記録用公転腕部材８６の角変位が阻止される。そして第５記録用歯車８５とともに記録用紙給紙ローラ６１が逆転方向Ｒ２に回転する。記録用紙給紙ローラ６１が記録用紙に接触した状態で逆転方向Ｒ２に回転することによって、記録用紙を搬送方向下流に搬送することができる。
【０１４３】
このとき第１記録用歯車８１とともに回転するメイン搬送ローラ６２は、記録用紙を搬送することができない逆転方向Ｒ２に回転する。これによって記録用紙給紙ローラ６１によって搬送された記録用紙は、メイン搬送ローラ６２に当接し、記録用紙は、スキューが補正されて、メイン搬送ローラ１２と第１ピンチローラ７１との間の位置に留まる。
【０１４４】
また記録用紙を給紙するときには、図１４（１）に示すように、キャリッジ６６が待機位置以外の位置に配置される。上述したように切換用公転腕部材１１３は、切換片１３０の幅広部１３７によって係留され、第２切換用歯車１１２が第１読取用歯車９１に噛合することが阻止される。これによって読取用歯車伝達機構９０の歯車９１〜９６が回転することが阻止され、記録用紙給紙時に用紙搬送ローラ６５に必要なトルクを小さくすることができる。
【０１４５】
図１７は、記録用紙に画像を形成するときの用紙搬送動作を説明するための側面図である。記録用紙に画像形成するときには、記録用紙をメイン搬送ローラ６２と第１ピンチローラ７１との間に配置させたあとで、用紙搬送モータ６５を正転方向Ｒ１（図１７では時計まわりの方向）に回転する。これによって基準歯車１０１は逆転方向Ｒ２に回転し、第１記録用歯車８１は正転方向Ｒ１に回転し、第２記録用歯車８２は逆転方向Ｒ２に回転し、第３記録用歯車８４は正転方向Ｒ１に回転する。
【０１４６】
第３記録用歯車８３が正転方向Ｒ１に回転することによって、記録用公転腕部材８６は第３記録用歯車８３の軸線まわりに正転方向Ｒ１に回転する力が与えられる。これによって記録用公転腕部材８６は、記録用紙から離反する方向に角変位する。
【０１４７】
したがって第５記録用歯車８５に連結される記録用紙給紙ローラ６１が、記録用紙から離反する。記録用紙給紙ローラ６１が記録用紙から離反することによって、記録用紙に画像形成するときに、新たな記録用紙が給紙されることを防ぐことができる。また画像形成時に用紙搬送ローラ６５に必要なトルクを小さくすることができる。
【０１４８】
このとき第１記録用歯車８１とともに回転するメイン搬送ローラ６２は、記録用紙を搬送する正転方向Ｒ１に回転する。これによってメイン搬送ローラ６２に当接した記録用紙は、メイン搬送ローラ６２と第１ピンチローラ７１とによって挟持された状態で、メイン搬送ローラ６２が回転し、搬送方向下流に向かって搬送される。そして主制御部４７が、メイン搬送ローラ６２の角変位動作と、キャリッジ６６の位置と、インクの吐出タイミングを制御することによって、記録用紙に画像を形成することができる。
【０１４９】
また記録用紙に画像を形成するときには、図１４（１）に示すように、キャリッジ６６が待機位置以外となる印刷領域に配置される。上述したように、第２切換用歯車１１２と第１原稿用歯車９１との噛合が阻止され、読取用歯車伝達機構９０の歯車９１〜９６が回転することが阻止される。したがって画像形成時に用紙搬送ローラ６５に必要なトルクを小さくすることができる。
【０１５０】
図１８は、原稿用紙の画像を読取るときの用紙搬送動作を説明するための側面図である。原稿用紙の画像を読取るときには、記録用紙がメイン搬送ローラ６２に当接していない状態で、用紙搬送モータ６５を正転方向Ｒ１（図１８では時計まわりの方向）に回転して、基準歯車１０１を逆転方向Ｒ２に回転する。また原稿用紙の画像を読取る時には、キャリッジ６６を待機位置に配置する。キャリッジ６６を待機位置に移動させることによって、図１５（２）に示すように、第２切換用歯車１１２と第１原稿用歯車９１とが噛合する。
【０１５１】
具体的には、基準歯車１０１を逆転方向Ｒ２に回転すると、第１切換歯車１１１が正転方向Ｒ１に回転する。第１切換用歯車１１１が正転方向Ｒ１に回転することによって、切換用公転腕部材１１３に第１切換用歯車１１１の軸線まわりに正転方向Ｒ１に回転する力が与えられ、第２切換用歯車１１２と第１原稿用歯車９１とは噛合状態となる。
【０１５２】
第１切換用歯車１１１が正転方向Ｒ１に回転すると、第２切換用歯車１１２は逆転方向Ｒ２に回転する。また第２切換用歯車１１２に噛合する第１原稿用歯車９１は正転方向Ｒ１に回転する。第１原稿用歯車９１が正転方向Ｒ１に回転すると、第２原稿用歯車９２は逆転方向Ｒ２に回転し、第３原稿用歯車９３は正転方向Ｒ１に回転し、第４原稿用歯車９４は正転方向Ｒ１に回転し、第５原稿用歯車９５は逆転方向Ｒ２に回転し、第６原稿用歯車９６は正転方向Ｒ１に回転し、第７原稿用歯車９７は逆転方向Ｒ２に回転する。
【０１５３】
これによって第３原稿用歯車９３に連結される原稿用紙給紙ローラ６３は、原稿用紙に当接した状態で、正転方向Ｒ１に回転する。したがって原稿用紙を搬送方向下流に搬送することができる。原稿用紙給紙ローラ６３によって給紙された原稿用紙は、原稿背面ローラ６４に当接する。第７原稿用歯車９７に連結される原稿背面ローラ６４は、原稿用紙に接触して、逆転方向Ｒ２に回転する。原稿背面ローラ６４が逆転方向Ｒ２に回転することによって、原稿背面ローラ６４とイメージセンサ６８との間について、原稿用紙を通過させて排出位置に排出することができる。
【０１５４】
また用紙搬送モータ６５を正転方向Ｒ１に回転すると、上述したように第５記録用歯車８５に連結される記録用紙給紙ローラ６１が、記録用紙から離反する。記録用紙給紙ローラ６１が記録用紙から離反することによって、原稿用紙の画像を読取るときに、記録用紙が給紙されることを防ぐことができる。また画像読取時に用紙搬送ローラ６５に必要なトルクを小さくすることができる。
【０１５５】
第１記録用歯車８１とともに回転するメイン搬送ローラ６２は、記録用紙を搬送する正転方向Ｒ１に回転する。しかしながら原稿読取動作時には、メイン搬送ローラ６２に記録用紙が当接していないので、メイン搬送ローラ６２が回転したとしても記録用紙が搬送されることがなく、原稿読取時に用紙搬送ローラ６５に必要なトルクを小さくすることができる。
【０１５６】
図１９は、主制御部４７の画像形成動作を示すフローチャートである。まずステップａ０で、主制御部４７は、記録用紙に画像を形成する指令が与えられたと判断すると、ステップａ１に進み、画像形成動作を開始する。
【０１５７】
たとえばファクシミリ装置２０が電話回線に接続された状態で、他のファクシミリ装置からファクシミリデータが与えられると、主制御部４７は、記録用紙に画像を形成する指令が与えられたと判断し、ステップａ１に進む。またたとえば操作キーによって画像記憶部４９に記憶される画像を形成する指令を示す操作情報が与えられると、主制御部４７は、記録用紙に画像を形成する指令が与えられたと判断し、ステップａ１に進む。
【０１５８】
ステップａ１では、主制御部４７は、キャリッジ６６が待機位置から外れるように、キャリッジモータ７３に指令を与える。キャリッジ６６が待機位置から外れると、ステップａ２に進む。ステップａ２では、用紙搬送モータ６５を逆転方向Ｒ２に回転し、ステップａ３に進む。これによって記録用紙の給紙が開始される。
【０１５９】
ステップａ３では、主制御部４７は、記録用紙検知センサ７８から記録用紙の給紙が完了したか否かを示す信号が与えられる。主制御部４７は、記録用紙検知センサ７８から与えられる信号に基づいて、記録用紙の給紙が正常に行われたと判断すると、ステップａ５に進む。また主制御部４７は、記録用紙の給紙が正常に行われていないと判断すると、ステップａ４に進む。ステップａ４では、主制御部４７は、給紙エラーを報知させ、ステップａ７に進み、画像形成動作を終了する。
【０１６０】
ステップａ５では、主制御部４７は、画像記憶部４９またはモデム４６から形成すべき画像を示す画像データを取得し、画像データに基づいて、キャリッジモータ７３、用紙搬送モータ６５およびインクの吐出タイミングを制御する。
【０１６１】
具体的には、キャリッジモータ７３によってキャリッジ６６を交差方向Ｂに往復移動させるとともに記録用紙を１ラインずつ搬送方向下流に搬送させるとともに、形成すべき画像に対応した位置にインク吐出点でインクを吐出させて、記録用紙に画像を形成する。画像形成時においては、用紙搬送モータ６５を正転方向Ｒ１に回転させる。画像形成が完了したと判断すると、ステップａ６に進む。
【０１６２】
ステップａ６では、主制御部４７は、キャリッジモータ７３に信号を与えて、キャリッジ６６を待機位置に移動させる。また用紙搬送モータ６５の回転を停止させ、ステップａ７に進む。ステップａ７では、主制御部４７は、画像形成動作を終了する。
【０１６３】
図２０は、主制御部４７の画像読取動作を示すフローチャートである。まずステップｂ１で、主制御部４７は、原稿用紙の画像を読取る指令が与えられたと判断すると、ステップｂ１に進み、画像読取動作を開始する。たとえば操作キーによって画像読取指令を示す操作情報が与えられると、主制御部４７は、原稿用紙の画像を読取る指令が与えられたと判断し、ステップｂ１に進む。
【０１６４】
ステップｂ１では、主制御部４７は、キャリッジ６６が待機位置に位置するように、キャリッジモータ７３に指令を与える。キャリッジ６６を待機位置に配置すると、ステップｂ２に進む。ステップｂ２では、用紙搬送モータ６５を正転方向Ｒ１に回転し、ステップｂ３に進む。これによって原稿用紙の給紙が開始される。
【０１６５】
ステップｂ３では、主制御部４７は、原稿用紙検知センサ７９から原稿用紙の給紙が完了したか否かを示す信号が与えられる。主制御部４７は、原稿用紙検知センサ７９から与えられる信号に基づいて、原稿用紙の給紙が正常に行われたと判断すると、ステップｂ５に進む。また主制御部４７は、原稿用紙の給紙が正常に行われていないと判断すると、ステップｂ４に進む。ステップｂ４では、主制御部４７は、給紙エラーを報知させ、ステップｂ６に進み、画像読取動作を終了する。
【０１６６】
ステップｂ５では、主制御部４７は、用紙搬送モータ６５によって原稿用紙を搬送させて、イメージセンサ６８から与えられる画像データを取得する。画像読取時においては、用紙搬送モータ６５を正転方向Ｒ１に回転させる。画像読取が完了したと判断すると、用紙搬送モータ６５の回転を停止して、ステップｂ６に進む。ステップｂ６では、主制御部４７が画像読取動作を終了する。
【０１６７】
以上のように本発明の実施の第１形態であるファクシミリ装置２０に従えば、記録構成部品支持フレーム部分２６と、読取構成部品支持フレーム部分２７とが一体成形されて、共有フレーム２１が形成される。これによって記録移動体用の支持フレームと画像読取手段用の支持フレームとを個別に形成する場合に比べて、一度の加工でフレームを形成することができ、安価に形成することができる。また樹脂による成形加工によって形成することで、共有フレーム２１が複雑な形状であっても容易に形成することができる。
【０１６８】
また記録構成部品支持フレーム部分２６と、読取構成部品支持フレーム部分２７とが１つに形成されているので、従来技術のように、記録移動体用のフレームと画像読取手段用のフレームとを１つに組立てる必要がなく、画像形成装置の組立てに費やす時間を短縮することができる。さらに各フレームが一体に形成されるので、各フレームを連結するためのねじ孔などの結合部分を必要とせず、ファクシミリ装置２０を小形化することができる。
【０１６９】
また共有フレーム２１は、一対の側壁部２２，２３が複数の連結部２４，２５によって連結されることによって、共有フレーム２１を格子枠状に形成することができる。これによって共有フレーム２１の剛性を向上することができる。したがって合成樹脂によって共有フレーム２１を形成したとしても、フレームとして必要な剛性を得ることができる。よって、フレーム変形に起因する用紙搬送精度の低下を抑えることができ、画像記録精度および画像読取精度の低下を抑えることができる。
【０１７０】
さらに連結部２４，２５が、用紙案内ガイドの一部を構成することによって、一対の側壁部２２，２３を連結するための連結部を別途設ける必要がなく、ファクシミリ装置が大型化することを防ぐことができる。また用紙案内ガイドを共有フレーム２１に固定する固定工程を必要とせず、ファクシミリ装置２０の組立てに費やす時間をさらに短縮することができる。
【０１７１】
また記録用紙搬送および原稿用紙搬送に関する、各搬送手段、各搬送駆動源および各伝達機構を、共有フレーム２１にそれぞれ設けることによって、それらを密集して配置することができ、共有フレーム２１を小形化することができ、ファクシミリ装置２０の省スペース化を実現することができる。また各搬送手段、各搬送駆動源および各伝達手段について、一部または全てをそれぞれ共有化させることによって、さらにファクシミリ装置２０を小形化することができる。
【０１７２】
本実施の形態では、１つの用紙搬送モータ６５が、記録用紙搬送駆動源および原稿用紙搬送駆動源を兼用するので、に必要なモータ数およびモータの設置スペースを減らすことができ、さらにファクシミリ装置２０を小形化かつ安価に構成することができる。
【０１７３】
また搬送状態を切換える切換手段によって、記録用紙搬送状態において、用紙搬送モータからの動力が現像用紙搬送手段に伝達されることを阻止することによって、用紙搬送モータ６５に必要なトルクを小さくすることができる。これによって低トルクのモータを用いることができ安価に形成することができる。
【０１７４】
また用紙搬送モータ６５から発生する熱量を抑えることができる。このように用紙搬送モータ６５から発生する熱量を抑えることで、樹脂によって共有フレーム２１を形成し、用紙搬送モータ６５を共有フレーム２１で支持したとしても、熱による共有フレーム２１の変形を抑えることができる。これによって用紙搬送モータ６５に起因する熱変形による画像形成品質の低下を防止することができる。
【０１７５】
さらに本実施の形態では切換手段が、キャリッジ６６の変位移動に連動して、言い換えると待機位置に対する配置状態に連動して搬送状態を切換える。切換手段の構成として、遊星歯車と太陽歯車とを用いることによって、太陽歯車の回転方向の制御およびキャリッジ６６の位置制御を変えるといった単純な制御で、搬送状態を切換えることができる。したがって伝達状態を切換えるための駆動手段、たとえばソレノイドなどを別途必要とせず、ファクシミリ装置２０を小形化および安価に実現することができる。
【０１７６】
また各ピンチローラ７１，７２，７５が、各ローラ６２，７０，７７を押圧する押圧力は、必要とする画像形成精度を保ったうえで可及的に低下するよう設定される。これによって画像形成精度および画像読取精度の低下を防いで、用紙搬送モータ６５に必要なトルクを低下させることができるとともにモータの発熱による画像品質の低下を抑えることができる。このように用紙搬送モータ６５から発生する熱量を抑えることで、樹脂によって共有フレーム２１を形成し、用紙搬送モータ６５を共有フレーム２１で支持したとしても、熱による共有フレーム２１の変形を抑えることができる。したがって用紙搬送モータ６５に起因する熱変形による画像形成品質の低下を防止することができる。
【０１７７】
また主制御部４７は、用紙搬送モータ６５およびキャリッジモータ７３が発生するトルクが予め定める値を超えないように、回転速度を徐々に高くして目標速度に達成させるスローアップ制御することが好ましい。これによって回転速度を急激に高くする場合に比べて、用紙搬送モータ６５およびキャリッジモータ７３が必要なトルクを低くすることができ、各モータ６５，７３の発熱量をさらに抑えることができる。
【０１７８】
また用紙搬送モータ６５およびキャリッジモータ７３は、ロータの慣性モーメントが低いものが用いられることが好ましい。たとえばプラスチック樹脂にマグネットが含有されたロータを用いたＰＭモータ（永久磁石モータ）を用いることによって、モータの発熱量を抑えることができる。これによって共有フレーム２１を樹脂によって構成した場合であっても、熱変形を防いで、形成される画像について要求される画像品質を保つことができる。また本実施の形態では、用紙搬送モータ６５に必要なトルクを小さくすることができ、慣性モーメントが小さいＰＭモータであっても、各ローラの駆動源として適用することができる。
【０１７９】
また各歯車と共有フレーム２１とが熱膨張率がほぼ等しい合成樹脂によって実現されることが好ましい。これによってファクシミリ装置２０の周囲の温度が変化した場合に、各歯車と共有フレーム２１とがほぼ等しく収縮または膨張する。これによって各歯車の軸部分と、共有フレーム２１に形成されて歯車の軸部分が挿通する挿通孔との間の隙間が大きく変化することがなく、搬送精度の低下を防止することができる。
【０１８０】
またキャリッジ６６を金属製の案内軸１２４と案内板部材１２５とによって交差方向Ｂに案内することによって、キャリッジ６６に搭載される記録ヘッドと記録用紙との間隔を一定に保つことができる。したがって共有フレーム２１が熱および外力によって変形したとしても、キャリッジ６６の交差方向Ｂの移動を正確に行わせることができ、記録用紙に形成される画像品質の低下を抑えることができる。
【０１８１】
またファクシミリ装置２０として上述した共有フレーム２１を用いることによって、画像読取および画像形成を行う部分を小形化することができ、通信制御手段およびダイヤル操作部などの他の構成部材が必要であるとしても、全体としてファクシミリ装置を小形化することができる。また通信回線を介して取得した画像データが示す画像を記録用紙に形成する場合、通信速度および通信データ量などの問題から、送信元から送信される画像データが示す画像の画像品質が低い場合がある。このような場合、共有フレーム２１を用いることによって、小形化および安価に形成可能なうえ、送信元から送信される画像データが示す画像を、要求される画像品質で形成することができる。
【０１８２】
また本実施の形態では、用紙搬送用モータ６５を逆転方向Ｒ２に回転させることで、記録用紙を給紙してメイン搬送ローラ６２の手前まで搬送することができる。また用紙搬送用モータ６５を正転方向Ｒ１に回転させることで、記録用紙の給紙を阻止してメイン搬送ローラ６２の手前に搬送された記録用紙に画像を形成することができる。このように用紙搬送用モータ６５の回転方向を切換えることによって、記録用紙の給紙搬送状態と、記録用紙の画像形成搬送状態とに切換えることができ、制御および構成を簡単化することができる。
【０１８３】
記録用紙給紙ローラ６１によって搬送された記録用紙は、メイン搬送ローラ６２に対して、スキュー、すなわちずれてメイン搬送ローラ６２とピンチローラ７１との間に進入する場合がある。記録用紙の給紙時にメイン搬送ローラ６２を逆回転させることによって、メイン搬送ローラ２に記録用紙の先端を当てて、記録用紙をメイン搬送ローラ２と平行にすることができスキューを防ぐことができる。
【０１８４】
図２１は、本発明の実施の第２形態であるファクシミリ装置の一部を示し、記録用紙に画像を形成するときの用紙搬送動作を説明するための側面図である。図２２は、本発明の実施の第２形態であるファクシミリ装置の一部を示し、原稿用紙を搬送するときの用紙搬送動作を説明するための側面図である。なお、図２１および図２２には、切換用歯車伝達機構１１０と、読取用歯車伝達機構９０について示し、記録用歯車伝達機構８０を省略して示す。
【０１８５】
図２３は、本発明の実施の第２形態であるファクシミリ装置の一部を示し、切換部材１３０を示す平面図である。図２４は、切換部材１３０の一部を拡大して示す平面図である。なお、図２３および図２４において、実線は、キャリッジ６６が待機位置以外の位置にある状態を示し、２点差線は、キャリッジ６６が待機位置にある状態を示す。
【０１８６】
第２形態のファクシミリ装置は、切換手段および歯車構成が異なりその他の構成については、図１に示す第１形態のファクシミリ装置２０と同様である。したがって異なる部分について説明し、同様の構成については説明を省略し、同一の参照符号を付する。第２形態のファクシミリ装置は、歯車構成が異なる。
【０１８７】
具体的には、前記基準歯車１０１が、間接歯車３００に動力を伝達し、間接歯車３００が、第１切換用歯車１１１に噛合する。また読取用歯車伝達機構９０は、第２読取用歯車９２から、原稿用紙給紙ローラが連結される給紙歯車、原稿用紙背面ローラが連結される背面歯車および原稿用紙排紙ローラギアが連結される排紙歯車に動力を伝達する。なお、第２読取用歯車９２が回転したときに、給紙歯車が周方向一方に回転し、背面歯車および排紙歯車が周方向他方に回転するように他の歯車を介して動力を伝達する。
【０１８８】
キャリッジ６６が待機以外に位置する場合には、図２０に示すように、切換片１３０の幅広部１３７が切換用公転腕部材１１３の当接部１３８に対向する。この状態で、用紙搬送モータ６５が記録用紙を搬送する回転方向に回転すると、切換用公転腕部材１１３が第１読取用歯車９１に近接する方向に移動する力が与えられる。このとき、切換片１３０の幅広部１３７に切換用公転腕部材１１３の当接部１３８が当接し、第２切換用歯車１１２と第１読取用歯車９１との噛合が阻止される。
【０１８９】
キャリッジ６６が待機位置に位置する場合には、図２１に示すように、切換片１３０の先細部１３６が切換用公転腕部材１１３の当接部１３８に対向する。この状態で、用紙搬送モータ６５が記録用紙を搬送する回転方向に回転すると、切換用公転腕部材１１３が第１読取用歯車９１に近接する方向に移動する力が与えられる。このとき、切換片１３０の先細部１３６は、幅広部１３７よりも搬送方向に没入して形成されるので、そのぶん切換用公転腕部材１１３の角変位が許容され、切換用公転腕部材１３３が角変位して、第２切換用歯車１１２と第１読取用歯車９１とが噛合する。このように第２のファクシミリ装置は、第１のファクシミリ装置に比べて歯車構成が異なっても、第１のファクシミリ装置と同様の効果を得ることができる。
【０１９０】
図２５は、本発明の実施の第３形態であるファクシミリ装置の一部を示す斜視図である。第３形態のファクシミリ装置は、切換手段が異なり、その他の構成については図１に示す第１形態のファクシミリ装置２０と同様である。したがって異なる部分について説明し、同様の構成については説明を省略し、同一の参照符号を付する。第３形態のファクシミリ装置の切換手段は、Ｌ字状に屈曲する屈曲片２００と、屈曲片２００を角変位可能に支持する支持部材２０１と、ばね体２０２とを含んで構成される。
【０１９１】
屈曲片２００は、キャリッジ６６に当接するキャリッジ当接部分２００ａと、当接部分から屈曲して切換用公転腕部材１１３の当接部１３８に当接する公転腕部材当接部分２００ｂとが形成される。屈曲片２００は、一方の側壁部２２寄りに設けられる。屈曲片２００のうちキャリッジ当接部分２００ａが交差方向に変位することによって、公転腕部材当接部分２００ｂが搬送方向に変位する。キャリッジ６６がキャリッジ当接部分２００ａを交差方向一方に変位することによって、公転腕部材当接部分２００ｂが搬送方向下流側に変位する。ばね体２０２は、公転腕部材当接部分２００ｂと共有フレーム２１とを連結し、公転腕部材当接部分２００ｂに、搬送方向上流側に向かう力を与える。また交転腕当接部分２００ｂの搬送方向上流側に切換用公転腕部材１１３の当接部１３８が当接する。
【０１９２】
図２６は、屈曲片２００を簡略化して示す平面図であり、図２７は、図２６のＳ２７−Ｓ２７から見た側面図である。図２６（１）および図２７（１）は、記録動作状態を示し、図２６（２）および図２７（２）は、読取動作状態を示す。他のファクシミリ装置２０は、一方の側壁部寄りにキャリッジ６６の待機位置が設定される。
【０１９３】
図２６（１）に示すように、キャリッジ６６が印刷領域に存在する場合、屈曲片２００は、ばね体２０２のばね力によって公転腕部材当接部分２００ｂが搬送方向上流側に位置する。屈曲片２００の公転腕部材当接部分２００ｂに、切換用公転腕部材１１３の当接部１３８が当接することによって、図２７（１）に示すように、切換用公転腕部材１１３が搬送方向下流側に変位することが阻止され、第２切換用歯車１１２と第１読取用歯車との噛合状態が解除される。これによって用紙搬送モータ６５の動力が読取用歯車伝達機構９０に伝達されることが阻止される。
【０１９４】
図２６（２）に示すように、キャリッジ６６が印刷領域から外れて待機位置に存在する場合、屈曲片２００のキャリッジ当接部分２００ａが当接する。これによって屈曲片２００は、ばね体２０２のばね力に抗して角変位し、公転腕部材当接部分２００ｂが搬送方向下流側に変位する。これによって図２７（２）に示すように、切換用公転腕部材１１３の当接部１３８が搬送方向下流側に変位可能となり、第１切換用歯車１１１が正転方向Ｒ１に回転することによって、第２切換歯車１１２と第１読取用歯車９１とが噛合状態となる。これによって用紙搬送モータ６５の動力が読取用歯車伝達機構９０に伝達されることが許容される。
【０１９５】
以上のように、第３形態のファクシミリ装置であっても、第１形態のファクシミリ装置と同様の効果を得ることができる。また、切換用公転腕部材１１３の角変位の阻止および許容する切換部材を動作する構成は、上述した構成に限定せず他の構成によって実現してもよい。たとえばソレノイドを用いて切換部材を変異して、切換用公転腕部材１１３の角変位の許容状態および阻止状態を切換えてもよい。
【０１９６】
また上述した第１〜３形態のファクシミリ装置は、本発明の一例示に過ぎず、本発明の範囲内において構成を変更することができる。たとえば上述した実施形態では、本発明をインクジェット方式のプリンタを備えるファクシミリ装置に適用する場合について説明しているが、この他にも熱転写方式、昇華型熱転写方式あるいはドットインパクト方式などの画像形成装置にも同様に適用することができる。すなわち、記録用紙を搬送しながら、その搬送方向と交差する方向に記録ヘッドを移動させるシリアル方式の画像形成装置に適用することができる。
【０１９７】
また記録用紙を搬送するための各ローラ６１，６２，７０および原稿用紙を搬送するための各ローラ６３，６４，７５に用紙搬送ローラからの動力を伝達する動力伝達機構は、歯車同士を直接連結させた構成によって実現されるとした。しかしこれに限定されるものではなく、ベルトまたはチェーンなどの他の機構を用いて、または歯車と他の機構とを兼用して動力伝達機構を構成してもよい。
【０１９８】
また、切換手段の構成は一例であって搬送状態を切換可能であればどのような構成であってもよく、たとえばソレノイドを用いて搬送状態を切換えてもよい。ただしキャリッジ６６の移動に用いられる動力を用いて、切換手段を駆動することが好ましく、これによって切換手段を駆動させるための駆動源を別途必要としない。
【０１９９】
また本実施の形態では、用紙搬送モータ６５に必要なトルクを小さくするために、記録用紙搬送の動作を行う場合に、原稿用紙搬送手段となる各ローラ６３，６４への動力伝達を阻止した。これに対して、記録用紙搬送の動作を行う場合、原稿用紙を搬送するための歯車列のうち一部または全ての歯車への動力伝達を阻止させてもよい。また原稿用紙搬送の動作を行う場合、記録用紙を搬送するための歯車列のうち一部または全ての歯車への動力伝達を阻止させてもよい。また本実施の形態では、省スペース化のためにモータを共有化したが、記録用紙搬送および原稿用紙搬送に関する搬送手段、各搬送駆動源および各伝達手段について、一部または全てをそれぞれ共有化させてもよい。
【０２００】
また本実施の形態では、図１に示すように、第１モータ支持部分３１および第２モータ支持部分３２は、共有フレーム２１と別体に形成されるとしたが、共有フレーム２１自体に、第１モータ支持部分３１および第２モータ支持部分３２が形成されてもよい。
【図面の簡単な説明】
【０２０１】
【図１】本発明の実施の第１形態であるファクシミリ装置２０の一部を省略して示す分解斜視図である。
【図２】図１に示す各構成部品を組立てた状態を示す斜視図である
【図３】共有フレームを拡大して示す斜視図である。
【図４】ファクシミリ装置２０を抽象的に示す分解斜視図である。
【図５】ファクシミリ装置２０の外観を示す斜視図である。
【図６】ファクシミリ装置２０の構成を示すブロック図である。
【図７】ファクシミリ装置２０の用紙搬送経路を説明するための図である。
【図８】画像記録部５０と、画像読取部５１との電気的構成を示すブロック図である。
【図９】動力伝達機構８０，９０，１１０を示す斜視図である。
【図１０】画像記録部５０のうち、記録用紙を搬送する構成を簡略化して示すファクシミリ装置２０の平面図である。
【図１１】画像記録部５０のうち、キャリッジ６６を変位駆動する構成を簡略化して示すファクシミリ装置２０の平面図である。
【図１２】キャリッジ６６の支持状態を示す斜視図である。
【図１３】画像読取部５１のうち、原稿用紙を搬送する構成を簡略化して示すファクシミリ装置２０の平面図である。
【図１４】記録動作と読取動作とを切換える切換手段を簡略化して示す側面図である。
【図１５】図１２のＳ１５−Ｓ１５から見た側面図である。
【図１６】記録用紙を給紙するときの用紙搬送動作を説明するための側面図である。
【図１７】記録用紙に画像を形成するときの用紙搬送動作を説明するための側面図である。
【図１８】原稿用紙の画像を読取るときの用紙搬送動作を説明するための側面図である。
【図１９】主制御部４７の画像形成動作を示すフローチャートである。
【図２０】主制御部４７の画像読取動作を示すフローチャートである。
【０２０２】
【図２１】本発明の実施の第２形態であるファクシミリ装置の一部を示し、記録用紙に画像を形成するときの用紙搬送動作を説明するための側面図である。
【図２２】本発明の実施の第２形態であるファクシミリ装置の一部を示し、原稿用紙を搬送するときの用紙搬送動作を説明するための側面図である。
【図２３】本発明の実施の第２形態であるファクシミリ装置の一部を示し、切換部材１３０を示す平面図である。
【図２４】切換部材１３０の一部を拡大して示す平面図である。
【図２５】本発明の第３形態を示すファクシミリ装置の一部を示す斜視図である。
【図２６】屈曲片２００を簡略化して示す平面図である。
【図２７】図２６のＳ２７−Ｓ２７から見た側面図である。
【図２８】他の従来技術のファクシミリ装置１を示す分解斜視図である。
【符号の説明】
【０２０３】
２０  ファクシミリ装置
２１  共有フレーム
２２，２３  側壁部
２４，２５  連結部
２６  記録構成部品支持フレーム部分
２７  読取構成部品支持フレーム部分
６１  記録用紙給紙ローラ
６２  メイン搬送ローラ
６３  原稿用紙給紙ローラ
６４  原稿背面ローラ
６５  用紙搬送モータ
６６  キャリッジ
６８  イメージセンサ
７３  キャリッジモータ
Ａ  搬送方向
Ｂ  交差方向
【図１】
2005331769.tif 000003
【図２】
2005331769.tif 000004
【図３】
2005331769.tif 000005
【図４】
2005331769.tif 000006
【図５】
2005331769.tif 000007
【図６】
2005331769.tif 000008
【図７】
2005331769.tif 000009
【図８】
2005331769.tif 000010
【図９】
2005331769.tif 000011
【図１０】
2005331769.tif 000012
【図１１】
2005331769.tif 000013
【図１２】
2005331769.tif 000014
【図１３】
2005331769.tif 000015
【図１４】
2005331769.tif 000016
【図１５】
2005331769.tif 000017
【図１６】
2005331769.tif 000018
【図１７】
2005331769.tif 000019
【図１８】
2005331769.tif 000020
【図１９】
2005331769.tif 000021
【図２０】
2005331769.tif 000022
【図２１】
2005331769.tif 000023
【図２２】
2005331769.tif 000024
【図２３】
2005331769.tif 000025
【図２４】
2005331769.tif 000026
【図２５】
2005331769.tif 000027
【図２６】
2005331769.tif 000028
【図２７】
2005331769.tif 000029
【図２８】
2005331769.tif 000030